(57)【要約】【課題】  会計的な専門知識を有しない者でも、迅速かつ容易に、資金繰りの計算ができ、借入三表を整合的に作成できる借入資料作成装置および借入資料作成プログラムを提供する。【解決手段】  借入資料作成装置は、売上見込みデータから売上一覧表と入金一覧表とを、仕入見込みデータから仕入一覧表と支払一覧表とを、売上・借入以外の入金に対しては、その他入金予定表を、仕入・借入返済以外の出金に対しては、経費その他支払表を、借入に対しては、借入金返済予定表を自動作成する。入金一覧表と、支払一覧表と、その他入金予定表と、経費その他支払表と、借入金返済予定表と、から銀行別出納帳を自動作成する。銀行別出納帳から合計出納表を自動作成する。合計出納表から資金繰表を自動作成する。また、銀行別に、割引手形残高と、短期借入残高と、長期借入残高と、預金残高と、を表示した銀行取引状況表を自動作成する。【選択図】  図３
0003116396.tif 000002
【実用新案登録請求の範囲】
【請求項１】
売上見込みデータと、仕入見込みデータと、売上・借入以外の入金見込みデータと、仕入・借入返済以外の出金見込みデータと、借入金および借入金返済見込みデータとを入力するデータ入力手段と、
前記入力された売上見込みデータから売上先別の入金実績および／または入金予定の金額および入金日を示す入金一覧データを作成する手段と、
前記入力された仕入見込みデータから、仕入先別の支払実績および／または支払予定の金額および支払日を示す支払一覧データを作成する手段と、
前記入力された売上・借入以外の入金見込みデータから、入金元別に少なくとも入金日と入金金額とを示すその他入金データを作成する手段と、
前記入力された仕入・借入返済以外の出金見込みデータから、科目別に少なくとも出金日と出金金額とを示すその他支払データを作成する手段と、
前記入力された借入金および借入金返済見込みデータから、借入先毎に少なくとも借入残高と返済予定日とを示す借入金返済予定データを作成する手段と、
前記入金一覧データ、前記支払一覧データ、前記その他入金データ、前記その他支払データ、前記借入金返済予定データに基づき、日付順の入金金額と出金金額とを取引銀行ごとに示す銀行別出納データを作成する手段と、
前記銀行別出納データに基づき、銀行からの入金金額と銀行に対する出金金額とを日付順に示す合計出納データを作成する手段と、
前記合計出納データに基づき、資金繰表を作成する手段とを有することを特徴とする借入資料作成装置。
【請求項２】
前記売上見込みデータが受取手形である場合に、該受取手形のリストを示す受取手形データを作成する手段をさらに有することを特徴とする請求項１記載の借入資料作成装置。
【請求項３】
前記仕入見込みデータが支払手形である場合に、該支払手形のリストを示す支払手形データを作成する手段をさらに有することを特徴とする請求項１または２記載の借入資料作成装置。
【考案の詳細な説明】
【技術分野】
【０００１】
本考案は、借入資料作成装置および借入資料作成プログラムに関し、特に、会計的な専門知識を有しない者でも容易に帳票が作成できる借入資料作成装置および借入資料作成プログラムに関する。
【背景技術】
【０００２】
一般に、企業の経営者にとっては、資金繰りがきわめて重要な課題となる。
そこで、企業の会計処理の重要な業務として、資金繰りに関するデータ処理が行われている。
【０００３】
しかし、資金繰りに関するデータ処理は、本来、その性質上誰でもが行えるわけではないので、従来は、一定程度以上の会計的な専門知識を有する担当者しか行えなかった。よって、そのような専門知識を持たない者でも資金繰りに関するデータ処理を容易に行えるようなシステムの実現が望まれた。
【０００４】
そこで、資金繰り実績表、資金収支表等資金繰り関連データを日常の仕訳業務に基づいて自動的に作成することを可能とした資金繰り処理システムが登場した（特許文献１参照。）。
【０００５】
また、財務諸表のための伝票情報と資金繰り表のための伝票情報とを資金コードにより区別し、両者に入力処理を一度に行えるようにしたものもある（特許文献２、特許文献３参照。）。
【特許文献１】特開平１１−１２０２２７号公報
【特許文献２】特開２０００−３６００１号公報
【特許文献３】特開２００１−７６０６４号公報
【考案の開示】
【考案が解決しようとする課題】
【０００６】
しかし、上記従来の資金繰りシステムは、資金繰りのためではなく、経理の付録程度のものでしかなかない。
【０００７】
すなわち、本来、資金繰表は、長期的な収支見込を立て、そこから得られる情報によって、いろんな経営課題を解決してゆくための手段となるはずのものである。ところが、上記従来の資金繰りシステムによっても、実際は、資金繰表の作成自体に多くの労力をとられ、作成すること自体が目的となりがちである。
【０００８】
また、上記従来の資金繰りシステムによっても、銀行借入に伴って提出する資料、すなわち、借入三表（資金繰表、銀行取引状況、売上一覧表（受注明細書）（受注明細））が、それぞれ個別に作成されるので、三者の整合性をとるのに苦労が伴う。
【０００９】
本考案は、上記問題点に鑑みてなされたものであり、会計的な専門知識を有しない者でも、迅速かつ容易に、資金繰りの計算ができ、借入三表を整合的に作成できる借入資料作成装置および借入資料作成プログラムを提供することを目的とする。
【課題を解決するための手段】
【００１０】
上記の目的を達成するために、請求項１記載の考案によれば、借入資料作成装置は、売上見込みデータと、仕入見込みデータと、売上・借入以外の入金見込みデータと、仕入・借入返済以外の出金見込みデータと、借入金および借入金返済見込みデータとを入力するデータ入力手段と、前記入力された売上見込みデータから売上先別の入金実績および／または入金予定の金額および入金日を示す入金一覧データを作成する手段と、前記入力された仕入見込みデータから、仕入先別の支払実績および／または支払予定の金額および支払日を示す支払一覧データを作成する手段と、前記入力された売上・借入以外の入金見込みデータから、入金元別に少なくとも入金日と入金金額とを示すその他入金データを作成する手段と、前記入力された仕入・借入返済以外の出金見込みデータから、科目別に少なくとも出金日と出金金額とを示すその他支払データを作成する手段と、前記入力された借入金および借入金返済見込みデータから、借入先毎に少なくとも借入残高と返済予定日とを示す借入金返済予定データを作成する手段と、前記入金一覧データ、前記支払一覧データ、前記その他入金データ、前記その他支払データ、前記借入金返済予定データに基づき、日付順の入金金額と出金金額とを取引銀行ごとに示す銀行別出納データを作成する手段と、前記銀行別出納データに基づき、銀行からの入金金額と銀行に対する出金金額とを日付順に示す合計出納データを作成する手段と、前記合計出納データに基づき、資金繰表を作成する手段とを有することを特徴とする。
【００１１】
請求項２記載の考案によれば、借入資料作成装置は、前記売上見込みデータが受取手形である場合に、該受取手形のリストを示す受取手形データを作成する手段をさらに有することを特徴とする。
【００１２】
請求項３記載の考案によれば、借入資料作成装置は、前記仕入見込みデータが支払手形である場合に、該支払手形のリストを示す支払手形データを作成する手段をさらに有することを特徴とする。
【考案の効果】
【００１３】
本考案によれば、資金繰表作成にかかわる時間を軽減でき、経営者がより経営に専念できるので、先を見る経営の実現が可能となる。
【００１４】
また、本考案によれば、銀行借入に必要な資料が全て連動し、かつ、自動計算で出力されるので、借入資料（借入三表を中心とした銀行提出資料）の作成が簡単となり、ひいては、銀行への信用が飛躍的にアップする。
【００１５】
さらに、本考案によれば、出力される帳票は、経理資料としてそのまま使えるので、出力帳票を経理用としても充分活かすことができ、伝票や帳簿の記帳の手間が大幅に削減され、事務の効率を飛躍的にアップさせることができる。
【００１６】
さらに、本考案によれば、ＧＵＩ（Ｇｒａｐｈｉｃａｌ  Ｕｓｅｒ  Ｉｎｔｅｒｆａｃｅ）により操作の入力をアイコンメニューの選択といった図形情報により行うことができるので、誰でも簡単に操作でき、初心者でも使いやすい。よって、会計的な専門知識を有しない者でも、容易かつ迅速に、資金繰りの計算ができ、また、借入三表を作成できる。
なお、ＧＵＩ（Ｇｒａｐｈｉｃａｌ  Ｕｓｅｒ  Ｉｎｔｅｒｆａｃｅ）とは、コンピュータの操作に、図形などの視覚情報を利用するインターフェースのことをいう。
【考案を実施するための最良の形態】
【００１７】
次に、添付図面を参照して、本考案に係る借入資料作成装置および借入資料作成プログラムの実施の形態を詳細に説明する。
【００１８】
図１には、本考案による借入資料作成装置および借入資料作成プログラムの一実施形態におけるハードウエア構成図が示されている。
【００１９】
本図において、借入資料作成装置１００は、ＣＰＵ１と、ＲＯＭ２と、ＲＡＭ３と、ハードディスク４と、キーボード５と、マウス６と、ディスプレイ７と、ＣＤ−ＲＯＭドライブ８と、プリンタ９と、バス１０と、ＣＤ−ＲＯＭ２００と、から構成される。
【００２０】
ＣＰＵ１は、本考案による借入資料作成プログラムに基づいて、借入資料作成装置１００の全体を制御する。
ＲＯＭ２は、オペレーションシステムやアプリケーションプログラムやデータベースの各テーブル等の情報を格納する。
ＲＡＭ３は、ＣＰＵ１のワークエリアとして使用される。
ハードディスク４は、ＲＯＭ２と同様に、アプリケーションプログラムやデータベースの各テーブル等の情報を格納する。
【００２１】
キーボード５は、操作の命令を与えたり、文字（数字、記号を含む。）を入力するためのキーを有する。
マウス６は、操作の命令を与えたり、ディスプレイ７上の場所を指し示すためのものであり、その他のポインティングディバイスでもよい。
【００２２】
ディスプレイ７は、入力情報画面や各帳票の表示画面を表示する。
ＣＤ−ＲＯＭドライブ８は、ＣＤ−ＲＯＭ２００に対して読み書きする。
プリンタ９は、各帳票を印字する
【００２３】
バス１０は、ＣＰＵ１と、ＲＯＭ２と、ＲＡＭ３と、ハードディスク４と、キーボード５と、マウス６と、ディスプレイ７と、ＣＤ−ＲＯＭドライブ８と、プリンタ９とを、図のように接続する。
【００２４】
ＣＤ−ＲＯＭ２００は、アプリケーションプログラムやデータベースの各テーブル等の情報を記録するための外部の記録媒体である。
なお、ここでは、外部の記録媒体としてＣＤ−ＲＯＭ２００を例に説明するが、本考案はこれに限定されるものではなく、例えば、ＦＤやＭＯであってもよい。その場合は、さらに、ＦＤドライブまたはＭＯドライブをバス１０に接続したハードウエア構成となる。
【００２５】
本考案による借入資料作成装置は、上記ようなハードウエア（コンピュータ）を有する。そして、本考案による借入資料作成プログラムは、後述する、資金繰表作成機能、売上一覧表作成機能、入金一覧表作成機能、仕入一覧表作成機能、支払一覧表作成機能、受取手形帳作成機能、支払手形帳作成機能、その他入金予定表作成機能、経費その他支払表作成機能、借入金一覧表作成機能、借入金返済予定表作成機能、銀行別出納帳作成機能、合計出納帳作成機能、銀行取引状況表作成機能、銀行別残高日計作成機能、現金出納帳作成機能、および／または仕訳日記帳作成機能を、借入資料作成装置のコンピュータに実現させる。
なお、上記のハードウエア構成は、典型例にすぎず、本考案は、上記の構成に限定されるものではない。
【００２６】
図２には、本考案に係る借入資料作成装置および借入資料作成プログラムの一実施形態における機能ブロック図が示されている。
【００２７】
本図において、借入資料作成装置１００は、データ入力部２０と、データ処理部３０と、マスタデータベース３１と、データ記憶部３２と、データ出力部４０とから構成される。
【００２８】
データ入力部２０は、各種の会計データを入力する手段である。ここで、売上見込みデータ、仕入見込みデータ，入金見込みデータ，その他入金見込みデータ、経費その他支払い見込みデータ、借入金及び借入金返済見込みデータ等が、予め設定された入力様式に従って、入力される。
【００２９】
データ処理部３０は、マスタデータベース３１とデータ記憶部３２とに対してアクセスしながら、データ入力部２０から入力されたデータの処理を行う。すなわち、データ処理部３０は、データ入力部２０から上記各種のデータが入力されると、入力されたデータに応じて必要なマスタデータをマスタデータベース３１に対して参照し、これを抽出して、データの処理を実行し、処理結果をデータ記憶部３２に記憶する。
【００３０】
データベース３１には、上記各種のデータ処理に必要なマスタデータ、後述の売上一覧表（受注明細書）、入金一覧表、受取手形帳、仕入一覧表、支払一覧表、支払手形帳、その他入金予定表、経費その他支払表、借入金一覧表、借入金返済予定表、銀行取引状況表、資金繰表等の各種帳票に必要なコードや各項目に関するテーブル等が格納・登録されている。
【００３１】
データ記憶部３２には、データ処理部３０実行されたデータの処理の結果が記憶される。このとき、予め様式が設定された上記各種帳票の形態で処理データを記憶保持するか、または、それらの帳票が作成可能なデータ列として処理データを記憶保持する。
【００３２】
データ出力部４０は、プリンタと、ディスプレイ等のデータ表示またはデータ出力の可能な装置を備え、データ記憶部３２の処理データに基づいて、ユーザの指示に応じて、売上一覧表（受注明細書）、入金一覧表、受取手形帳、仕入一覧表、支払一覧表、支払手形帳、その他入金予定表、経費その他支払表、借入金一覧表、借入金返済予定表、銀行取引状況表、資金繰表等の各種帳票の出力・表示を行う。
【００３３】
なお、本図は概念構成を示しているにすぎないので、本考案は上記のブロック図に限定されるものではない。
【００３４】
図３は、本考案による借入資料作成装置および借入資料作成プログラムの一実施形態の動作（データの流れ）のフローチャートが示されている。
【００３５】
ステップＳ１において、売上見込みデータが入力されると、ステップＳ２において、売上一覧表（受注明細書）が自動作成される。次いで、売上一覧表（受注明細書）から、ステップＳ３において、入金一覧表が自動作成される。売上代金を手形で受け取る場合は、さらに、ステップＳ４において、受取手形（記入）帳が自動作成される。
【００３６】
ステップＳ１１において、仕入見込みデータが入力されると、ステップＳ１２において、仕入一覧表が自動作成される。次いで、仕入一覧表から、ステップＳ１３において、支払一覧表が自動作成される。仕入代金を手形で支払う場合は、さらに、ステップＳ１４において、支払手形（記入）帳が自動作成される。
【００３７】
受取利息等、売上・借入以外の入金予定については、ステップＳ２１において、その他入金見込みデータ（売上・借入以外の入金見込みデータ）として入力され、ステップＳ２２において、その他入金（予定）表が自動作成される。
【００３８】
人件費・経費その他の支払い等、仕入・借入返済以外の出金予定については、ステップＳ３１において、その他支払見込みデータ（仕入・借入返済以外の出金見込みデータ）として入力され、ステップＳ３２において、経費・その他支払（予定）表が自動作成される。
【００３９】
ステップＳ４１において、借入返済計画（借入金及び借入金返済見込みデータ）が入力されると、ステップＳ４２において、借入金一覧表と、借入金返済予定表とが自動作成される。さらに、ステップＳ４３において、銀行取引状況表が自動作成される。
【００４０】
ステップＳ５１において、入金一覧表と、支払一覧表と、受取手形帳と、支払手形帳と，その他入金予定表と、経費その他支払表と、借入金返済予定表と、から銀行別入手金一覧表（銀行別出納帳）が自動作成される。
【００４１】
ステップＳ５２において、銀行別入手金一覧表（銀行別出納帳）から入出金合計表（合計出納帳）が自動作成される。さらに、ステップＳ５３において、銀行別入手金一覧表（銀行別出納帳）から資金繰表が自動作成される。
【００４２】
以上のような構成・動作により、本実施形態に係る借入資料作成装置は、売上見込みデータが入力されると売上一覧表（受注明細書）を自動作成する機能と、売上一覧表（受注明細書）から入金一覧表を自動作成する機能と、仕入見込みデータが入力されると仕入一覧表を自動作成する機能と、仕入一覧表から支払一覧表を自動作成する機能と、売上代金を手形で受け取る場合は受取手形帳を自動作成する機能と、仕入代金を手形で支払う場合は支払手形帳を自動作成する機能と、受取利息等（売上・借入以外）の入金にはその他入金予定表を自動作成する機能と、人件費・経費その他の支払（仕入・借入返済以外）の出金には経費その他支払表を自動作成する機能と、借入には借入金一覧表及び借入金返済予定表を自動作成する機能と、入金一覧表、支払一覧表、受取手形帳、支払手形帳，その他入金予定表、経費その他支払表、借入金返済予定表、から銀行別出納帳（銀行別入手金一覧表）を自動作成する機能と、銀行別出納帳（銀行別入手金一覧表）から合計出納表（総合入出金一覧表）を自動作成する機能と、合計出納表（総合入出金一覧表）から前記資金繰表を自動作成する機能と、銀行別に割引手形残高と短期借入残高と長期借入残高と預金残高と表示した銀行取引状況表を自動作成する機能と、から選択される少なくとも１つの機能を有する。
【００４３】
以下、本考案による借入資料作成装置および借入資料作成プログラムの一実施形態におけるデータ入力方法について説明する。
【００４４】
図４には、本考案による借入資料作成装置および借入資料作成プログラムの一実施形態におけるメニュー画面が示されている。
【００４５】
ここでは、オペレーションシステム（以下ＯＳという。）としてＷｉｎｄｏｗｓ（登録商標）が用いて説明する。
【００４６】
パーソナルコンピュータ（以下ＰＣという。）において、ＯＳを起動すると、プログラムマネージャー画面がディスプレイに７上にあらわれる。ここで、「資金繰りシステム」というグループを開く、「資金繰りシステム銀行さん」というアイコンをダブルクリックする。すると、図４のような「資金繰りシステム銀行さん」のメニュー画面（以下メニュー画面という。）がディスプレイに７上にあらわれる。
【００４７】
メニュー画面には、図のように、「年度変更」「入力」「印刷」プリンタの設定」データバックアップ」「終了」「ヘルプ」という項目が並んだメニューバーがある。それぞれの項目については後述する。
【００４８】
また、メニュー画面には、図のように、「年度変更」「入力」「印刷」プリンタの設定」データバックアップ」「終了」「ヘルプ」動物（牛）のイラストと、「売上一覧表」、「入金一覧表」、「入金確認」、「仕入一覧表」、「支払一覧表」、「支払確認」、「その他入金」、「経費・その他支払」、「借入金一覧」、「受取手形帳」、「支払手形帳」といったボタン群がある。
【００４９】
各ボタンがマウス６でクリックされると、後述のように、それぞれの入力画面がディスプレイに７上にあらわれる。
【００５０】
このように、Ｇｒａｐｈｉｃａｌ  Ｕｓｅｒ  Ｉｎｔｅｒｆａｃｅ（以下ＧＵＩという。）により操作の入力をアイコンメニューの選択といった図形情報により行うことができるので、誰でも簡単に操作でき、会計的な専門知識を有しない者でも容易に資金繰りの計算ができ、借入三表を作成できる。なお、ＧＵＩとは、コンピュータの操作に、図形などの視覚情報を利用するインターフェースのことをいう。
【００５１】
図４で説明したメニュー画面のメニューバー上の「年度変更」をマウス６でクリックすると、図５に示すような対象年度変更画面がディスプレイに７上にあらわれる。ユーザは、キーボード５を用いて、処理を行う年度を画面上の所定の場所に書き込む。書き込んだ年度が正しければ、画面右の「ＯＫ」をマウス６でクリックする。こうして、対象年度の新規入力または変更が行われる。
【００５２】
メニュー画面のメニューバー上の「入力」をマウス６でクリックすると、図６に示すように、「売上一覧表」、「入金一覧表」、「入金確認」、「仕入一覧表」、「支払一覧表」、「支払確認」、「その他入金」、「経費その他支払」、「借入金一覧」、「受取手形帳」、「支払手形帳」、「初期残高設定」といったメニューの一覧があらわれる。「売上一覧表」〜「支払手形帳」までは、基本的には、メニュー画面右にあるボタン群と同じ機能を有する。すなわち、各メニューが選択・実行されると、後述のように、それぞれの入力画面がディスプレイに７上にあらわれる。
【００５３】
「初期残高設定」は、このプログラムを導入するに当たって設定する銀行預金残高登録のためのメニューであり、選択・実行されると、図７に示すような銀行残高登録画面がディスプレイに７上にあらわれる。
【００５４】
銀行を登録するためには、画面右下にある「銀行追加」をクリックする。すると、図８のような銀行追加画面があらわれる。そこで、ユーザは、キーボード５等を用いて、所定の欄に銀行名を入力する。入力された銀行名が正しければ、「ＯＫ」をクリックする。すると、図９に示すような銀行残高登録画面に戻る。
【００５５】
預金残高を登録するためには、さらに、預金残高を登録（変更）する行をクリックし、画面右下の「残高変更」をクリックする。すると、図１０に示すような初期設定残高変更画面があらわれる。そこで、ユーザは、キーボード５等を用いて、所定の欄に設定年月、普通預金、当座預金の残高を入力する。入力された設定年月、普通預金、当座預金の残高が正しければ、「ＯＫ」をクリックする。すると、図１１に示すような銀行残高登録画面に戻る。
【００５６】
なお、預金以外（受取手形，売掛金，支払手形，買掛金，割引手形，借入金）の残高登録については、後述のように、資金繰対象年度以前のフローデータ（残高に関係してくるデータ）の登録（入力）によって行う。
【００５７】
以下、本考案による借入資料作成装置および借入資料作成プログラムの一実施形態における各種帳票の印刷手順について説明する。
【００５８】
図１２には、メニューバーの「印刷」がクリックされた状態のメニュー画面が示されている。
【００５９】
「印刷」がクリックされると、図のように、１４項目の帳票の一覧が表示される。帳票としては、「売上一覧表（横）」、「入金一覧表（横）」、「仕入一覧表（横）」、「支払一覧表（横）」、「受取手形（記入）帳（縦）」、「支払手形（記入）帳（縦）」「その他入金表（縦）」、「経費その他支払表（縦）」、「借入金一覧表（縦）」、「借入金返済予定表（縦）」、「銀行別入出金一覧表（縦）」、「入出金合計表（縦）」「銀行取引状況（表）（縦）」、「資金繰り表（縦）」がある。帳票のわきにある（縦）（横）はプリンタの設定における印刷の向きを表している。
【００６０】
その他入金表及び経費・その他支払表を印刷するときは、印刷する月を指定する。
【００６１】
銀行別入出金一覧表を印刷するときは、普通預金・当座預金・総合計から出力するものをクリックする。次いで、印刷する月を指定する。
【００６２】
入出金合計表を印刷するときは、普通預金・当座預金・総合計から出力するものをクリックする。次いで、印刷する月を指定する。
【００６３】
銀行取引状況（表）を印刷するときは、印刷する月を指定する。すると、指定月末残高が印刷される。
【００６４】
資金繰り表を印刷するときは、６ヶ月分表示されるので、印刷したい最初の月を指定する。
【００６５】
なお、印刷は、プリンタ９を用いて行われる。プリンタ９の設定としては、他に解像度、用紙サイズ、給紙方法等があるが、ここでは主に印刷の向きを選択する。
【００６６】
以下、本考案による借入資料作成装置および借入資料作成プログラムの一実施形態における各種データのバックアップについて説明する。
【００６７】
図１３には、メニューバーの「データバックアップ」がクリックされた状態のメニュー画面が示されている。
【００６８】
「データバックアップ」がクリックされると、ハードディスクかフロッピー（登録商標）ディスクへのバックアップの選択画面が出てくる（復元も両方ある。）。実行するほうをユーザが選択する。
【００６９】
例えば、「フロッピー（登録商標）ディスクへバックアップ」が選択・実行されると、図１４に示すような画面がディスプレイ７上にあらわれる。ここで、ユーザは、バックアップデータを格納するドライブを選択し、「ＯＫ］をクリックすると、後述の各種データのバックアップが行われる。
【００７０】
「フロッピー（登録商標）ディスクからの復元」が選択・実行されると、図１５に示すような画面がディスプレイ７上にあらわれる。ここで、ユーザは、バックアップフロッピー（登録商標）を挿入するドライブを選択し、「ＯＫ］をクリックすると、データのリストアが行われる。
【００７１】
なお、本実施形態におけるプログラムを終了させるときは、メニューバーの「終了」をクリックする。また、メニューバーの「ヘルプ」をクリックすると、ユーザは、メニュー画面に対応する入力方法等のヘルプ機能を参照できる。
【００７２】
以下、本考案による借入資料作成装置および借入資料作成プログラムにおける各機能について個別に説明する。
【００７３】
まず、本考案による借入資料作成装置および借入資料作成プログラムの一実施形態における売上一覧表（受注明細書）を自動作成する機能について説明する。
【００７４】
売上見込みデータが入力されると、図１６のような売上一覧表（受注明細書）が自動作成される。売上一覧表（受注明細書）は、図のように、得意先別（売上先別）の各年度における売上実績ないし売上予定金額を、各月（売上月）毎に整理した表である。また、売上商品名、入金条件、一年の合計（年計）、振込先等の項目に関する情報も示すことができる。
【００７５】
ユーザが、キーボード５やマウス６を用いて、後述のように所定のデータを入力すると、同様の形式のデータ（売上一覧データ）が、ディスプレイ７に表示され、これがプリンタ９によりプリントアウトされる。
【００７６】
なお、図１６の４月〜７月のデータは、商品の納入が無事に完了している、いわゆる「実績」データ（実績売上高）である。８月〜３月のデータは、商品の納入が未だ無事に完了していない、いわゆる「予定」データ（予定売上高）である。このように、商品の納入が無事に完了しているデータと完了していないデータとを判別可能なように表示すれば、ユーザは売上状況を容易に把握できる。
【００７７】
ここで、売上一覧表（受注明細書）の入力（削除・変更も含む）手順について説明する。
【００７８】
得意先・商品の登録（削除）及び売上金額の入力（変更）は、以下に説明するようにディスプレイ７に表示された売上一覧表画面を用いて行う。
【００７９】
メニュー画面で、「売上一覧表」（メニューバーの「入力」またはボタン）をクリックすると、図１７に示すような得意先名称選択画面がディスプレイ７上にあらわれる。ユーザは、この得意先名称選択画面において選択する得意先の読み仮名のボタンを押して、得意先を入力する。
【００８０】
得意先の指定方法としては、次の３種類がある。
（１）  名称の最初の読みを、あ〜わ行の分類の中から選択する。
（２）  名称の最初の読みを、Ａ〜Ｚの分類の中から選択する。
（３）  （１）または（２）のように区分表示しないで、全てを表示する。
このようにして得意先を指定すると、図１８のような売上一覧表画面があらわれる。
【００８１】
まず、得意先・商品の登録について説明する。
【００８２】
図１８の売上一覧表画面の左上にある「編集」をクリックすると、図のように「得意先・商品登録」と「得意先・商品削除」が出てくるので、ここでは、「得意先・商品登録」をクリックする。
【００８３】
すると、図１９に示すような得意先・商品登録画面が出てくる。そこで、ユーザは、得意先名、得意先読み、商品名、商品名読み、入金月、入金日，入金銀行、入金口座について入力する。なお、得意先読みと商品名読みについては、ひらがなで入力する。
【００８４】
入金月の登録は、↓バーをクリックすると、当月から１１ヶ月後までの入金サイトが表示されるので、該当箇所をクリックする。
【００８５】
入金日の登録は、↓バーをクリックすると、１、５、１０、１５、２０，２５、末日の各日が表示されるので、該当箇所をクリックする。これらに該当しない入金日はキーボード５（テンキー）から入力する。
【００８６】
入金銀行の登録は、銀行名を登録する。一度登録された銀行は、↓バーをクリックすると出てくる。入金口座の登録は、↓バーをクリックして普通（預金）か当座（預金）を選択する。
【００８７】
以上の入力に誤りがなければ、得意先・商品登録画面右下の「ＯＫ」のボタンをクリックする。すると、得意先名、得意先読み、商品名、商品名読み、入金月、入金日，入金銀行、入金口座が登録され、該登録後の売上一覧表画面に戻る。
【００８８】
以上に対して、得意先・商品を削除する場合は、図１８の売上一覧表画面にて、当該得意先・商品の金額欄をクリックして特定し、左上の「編集」をクリックする。次いで「得意先・商品削除」をクリックして、図２０に示すような得意先・商品削除画面を出す。
【００８９】
得意先・商品削除画面上に示された得意先・商品を削除することで誤りがなければ、得意先・商品削除画面右下の「ＯＫ］ボタンをクリックする。すると、当該得意先・商品が削除され、該削除後の売上一覧表画面に戻る。
【００９０】
売上金額を入力する場合は、図２１のように売上一覧表画面の入力しようとする場所にカーソルを移動し、クリックする。これによって入力場所が特定される。次いで、図２２に示すように、に売上一覧表画面の左下の金額欄へ１円単位で入力する（消費税抜きの金額）。入力に誤りがなければ、金額欄の右脇の「ＯＫ」ボタンをクリックする。すると、図２３に示すように、当該金額の入力後の売上一覧表画面に戻る。
なお、入力途中で取り消すときは、図２２の「ＯＫ］ボタンの右隣の「取消」ボタンをクリックする。
【００９１】
売上金額を変更する場合は、図２４に示すように、売上一覧表画面において変更するデータをクリックする。すると、図２５に示すような画面に切り替わる。次いで、図２６に示すように、ユーザは、売上一覧表画面左下の金額欄に、変更データを入力する。そして、誤りがなければ、金額欄の右脇の「ＯＫ］ボタンをクリックする。なお、売上取消（売上金額「０」に変更）の場合の処理手順については後述する。
【００９２】
図２７のような入金内訳画面が出てくる。上段（売上金額）に表示されたデータが変更後の金額（消費税込みの金額）になっている。下段の枠で囲んだ中のデータが変更前の金額である。この金額を変更する。
【００９３】
図２８に示すように、変更する行をクリックして選択し、右下の「変更」をクリックする。すると、図２９に示すような入金内訳変更画面が出てくる。そこで、変更する場所へカーソルを移動してクリックする。変更金額を入力する。誤りがなければ、「ＯＫ］をクリックする。すると、図３０のような入金内訳画面に戻る。そこには、修正後の金額が表示される。誤りがなければ、右下の「売上一覧へ」をクリックする。すると、図３１に示すように、金額修正後の売上一覧表画面になり、変更が完了する。
【００９４】
次に、本考案による借入資料作成装置および借入資料作成プログラムの一実施形態における入金一覧表を自動作成する機能について説明する。
【００９５】
図３２には、本考案による借入資料作成装置および借入資料作成プログラムの一実施形態における入金一覧表の一例が示されている。入金一覧表は、売上一覧表を入金ベースで表示したものであり、売上一覧表（受注明細書）から自動作成される。
【００９６】
すなわち、入金一覧表は、図のように、得意先別（売上先別）の各年度における入金実績ないし入金予定金額を、各月（売上月）毎に示した表である。また、売上商品名、入金条件、一年の合計（年計）、振込先等の項目に関する情報も示すことができる。
【００９７】
ユーザが、キーボード５やマウス６を用いて、後述のように所定のデータを入力すると、同様の形式のデータ（入金一覧データ）が、ディスプレイ７に表示され、これがプリンタ９によりプリントアウトされる。
【００９８】
そのようにして作成された入金一覧表のデータ（入金一覧データ）が、後述の銀行別出納帳に転記され、さらに後述の資金繰表に集計される。
【００９９】
なお、図３２の４月〜７月のデータは、入金処理（回収）が完了している、いわゆる「実績」データ（実績入金高）である。８月〜３月のデータは、入金処理（回収）が完了していない、いわゆる「予定」データ（予定入金高）である。このように、入金処理が完了しているデータと完了していないデータとを判別可能なように表示すれば、ユーザは入金状況を容易に把握できる。
【０１００】
ここで、売上入金及び入金金額等の変更手順について説明する。
【０１０１】
売上入金及び入金金額等の変更処理は、後述のようにディスプレイ７に表示された入金一覧表画面を用いて行う。すなわち、入金に変更（分割、延期、手形になった場合等）が生じた時、図３３に示したような入金一覧表画面を使って入力（変更処理）をする。なお、売上金額の変更は前述のように売上一覧表画面から行う。入金一覧表は、上記のような入金内容に変更が生じても、原則として、当初予定入金額が表示されるが、売上一覧表画面から売上金額が変更されれば、これに応じて自動的に変わる。
【０１０２】
メニュー画面で、「入金一覧表」（メニューバーの「入力」またはボタン）をクリックすると、図１７に示すような得意先名称選択画面がディスプレイ７上にあらわれる。ユーザは、前述したように、この得意先名称選択画面において選択する得意先の読み仮名のボタンを押して、得意先を入力する。
【０１０３】
得意先の指定方法については、前述したのと同様である。そのようにして得意先を指定すると、図３３のような入金一覧表画面があらわれる。
【０１０４】
まず、分割入金に変更する場合について説明する。
【０１０５】
入金一覧表画面の変更するデータをクリックすると、図３４に示すような画面になる。ここでは、左下の金額欄に変更前の金額が表示されている。そこで、金額欄の右脇にある「変更」のボタンをクリックする。すると、図３５に示すような入金内訳画面が出てくる。そこで、変更するデータの行をクリックし、画面右下の「変更」ボタンをクリックする。すると、図３６に示すような入金内訳変更画面が出てくる。そこで、図３７に示すように、変更金額を入力し、誤りがなければ、「ＯＫ」をクリックする。
【０１０６】
すると、図３８に示すような入金内訳画面に戻ると同時に修正後の金額が表示される。分割入金ということであり、データを追加するので、この入金内訳画面の「追加」をクリックする。すると、図３９に示すような入金内訳追加画面が出てくる。そこで、各入力項目を入力し、誤りがなければ「ＯＫ］をクリックする。すると、図４に示すような入金内訳画面に戻る。誤りがなければ、画面右下の「入金一覧へ」をクリックし、入金一覧表画面に戻る。
【０１０７】
次に、入金日の変更について説明する。
【０１０８】
図３３の入金一覧表画面において、変更の対象となるデータをクリックすると、図３４に示した入金一覧表画面になる。そこで、左下金額欄の右にある「変更」をクリックする。すると、図３５の入金内訳画面が出てくる。そこで、変更するデータの行をクリックし、右下の「変更」をクリックする。すると、図３６の入金内訳変更画面が出てくる。そこで、入金日の欄に変更後の入金日をキーボード５（テンキー）で入力する。そして、誤りがなければ、「ＯＫ］をクリックする。すると、図３８の入金内訳画面に戻る。ただし、入金予定日の欄には、修正後の日付が表示される。誤りがなければ、「入金一覧へ」をクリックし、変更を完了する。
【０１０９】
手形入金の場合も、図３６の入金内訳変更画面が出てくるまでは、入金日の変更と同じである。そして、入金内訳変更画面の科目の欄が「普通」となっているのを、図４１に示すように「手形」に変更する。他に問題がなければ、「ＯＫ」をクリックする。すると、図４２に示すような受取手形入力画面が出てくる。ここで、手形期日、手形番号、口座、振出人（裏書人）、支払人（引受人）、を入力する。誤りがなければ、「ＯＫ」をクリックする。図４３に示すような入金内訳画面に戻る。そこには、備考欄に手形番号と期日が記入されている。特に問題がなければ、「入金一覧」をクリックし、変更を完了する。
【０１１０】
なお、同一得意先で同月に複数の売上データがあって入金は手形一枚という場合は、手形金額を分割する。この場合、データのダブリ保護のため、手形番号を変える。
【０１１１】
一部手形入金の場合は、図４２、図４３を用いて説明した手形入金の処理を行うと同時に、図３８、図３９を用いて説明した入金の追加処理を行う。
【０１１２】
入金銀行の変更の場合は、前述した入金日の変更処理と同じ要領で、入金銀行を変更する。
【０１１３】
次に、売上・入金の削除について説明する。
【０１１４】
売上取消の場合、図４４に示すような売上一覧表画面にて売上金額「０」を入力する。
【０１１５】
図４５に示すよう入金内訳画面で「削除」をクリックする。すると、図４６に示すような入金内訳削除画面になるので、特に問題がなければ、「ＯＫ」をクリックする。すると、図４７に示すような削除後の入金内訳画面に戻る。さらに、「売上一覧へ」をクリックすると、図４８に示すような削除後の売上一覧表画面に戻る。
【０１１６】
分割入金から一回入金に変更になった場合は、該当データを入金一覧表画面で選択し、入金内訳画面で不要となったデータを削除する。入金内訳削除画面になると、「ＯＫ」をクリックする。変更を要する時は、ひきつづき変更処理を行う。
【０１１７】
ここで、入金確認について説明する。図４９には、本考案による借入資料作成装置および借入資料作成プログラムの一実施形態における入金確認一覧表画面が示されている。これは、売掛金の回収管理を行う画面である。
【０１１８】
前述したメニュー画面で「入金確認」（メニューバーの「入力」またはボタン）をクリックする。すると、図５０に示されている日付入力画面が出てくる。そこで、確認を行う月を入力し、「ＯＫ」をクリックする。すると、図４９のような入金確認一覧表画面が出てくる。ここでは、当月の入金予定データが表示されている。入金が確認されれば、右端にある確認欄に確認済の印をつける（入金確認をした行をクリックする。）。完了したら、「メニューへ」をクリックする。
【０１１９】
次に、本考案による借入資料作成装置および借入資料作成プログラムの一実施形態における仕入一覧表を自動作成する機能について説明する。
【０１２０】
図５１には、本考案による借入資料作成装置および借入資料作成プログラムの一実施形態における仕入一覧表の一例が示されている。
【０１２１】
仕入見込みデータが入力されると、図５１のような仕入一覧表が自動作成される。仕入一覧表は、図のように、仕入先別の各年度における仕入実績ないし仕入予定金額を、各月毎に示した表である。また、仕入商品名、支払条件、一年の合計（年計）、振込先等の項目に関する情報も示すことができる。
【０１２２】
ユーザが、キーボード５やマウス６を用いて、後述のように所定のデータを入力すると、同様の形式のデータ（仕入一覧データ）が、ディスプレイ７に表示され、これがプリンタ９によりプリントアウトされる。
【０１２３】
なお、図５１の４月〜７月のデータは、商品の納入が無事に完了している、いわゆる「実績」データ（実績仕入高）である。８月〜３月のデータは、商品の納入が未だ無事に完了していない、いわゆる「予定」データ（予定仕入高）である。このように、商品の納入が無事に完了しているデータと完了していないデータとを判別可能なように表示すれば、ユーザは仕入状況を容易に把握できる。
【０１２４】
ここで、仕入一覧表（受注明細書）の入力（削除・変更も含む）手順について説明する。
【０１２５】
仕入先・商品の登録（削除）及び仕入金額の入力（変更）は、以下に説明するようにディスプレイ７に表示された仕入一覧表画面を用いて行う。
【０１２６】
前述のメニュー画面で、「仕入一覧表」（メニューバーの「入力」またはボタン）をクリックすると、図５１に示すような仕入先名称選択画面がディスプレイ７上にあらわれる。ユーザは、この仕入先名称選択画面において選択する仕入先の読み仮名のボタンを押して、仕入先を入力する。仕入先の指定方法としては、前述の得意先の指定方法と同様の３種類がある。
【０１２７】
そのようにして仕入先を指定すると、図５３のような仕入一覧表画面があらわれる。
【０１２８】
まず、仕入先・商品の登録について説明する。
【０１２９】
仕入一覧表の作成は、まず仕入先・商品登録から行う。
仕入一覧表画面の左上の「編集」をクリックすると、「仕入先・商品登録」と「仕入先・商品削除」があらわれるので、ここでは「仕入先・商品登録」をクリックする。すると、図５４のような仕入先・商品登録画面が出てくるので、仕入先読み、商品名，商品名読み，払月、払日、主な振込先、口座を入力する。なお、仕入先読みと商品名読みについては「ひらがな」で入力する。入力に誤りがなければ、「ＯＫ］をクリックする。すると、仕入一覧表画面に戻る。
【０１３０】
以上に対して、仕入先・商品を削除する場合は、図５３の仕入一覧表画面にて、当該仕入先・商品をクリックして特定し、左上の「編集」をクリックする。次いで、「仕入先・商品削除」をクリックすると、図５５に示すような仕入先・商品削除画面が出てくる。
【０１３１】
仕入先・商品削除画面上に示された仕入先・商品を削除することで誤りがなければ、仕入先・商品削除画面右下の「ＯＫ］ボタンをクリックする。すると、当該仕入先・商品が削除され、該削除後の仕入一覧表画面に戻る。
【０１３２】
仕入金額を入力する場合は、図５６のように仕入一覧表画面の入力しようとする場所にカーソルを移動し、クリックする。これによって入力場所が特定される。次いで、キーボード５（テンキー）を用いて、仕入一覧表画面の左下の金額欄へ１円単位で入力する（消費税抜きの金額）。入力に誤りがなければ、金額欄の右脇の「ＯＫ］ボタンをクリックする。
なお、入力途中で取り消すときは、図５６の「ＯＫ］ボタンの右隣の「取消」ボタンをクリックする。
【０１３３】
仕入金額を変更する場合は、図５７に示すような仕入一覧表画面から行う。変更するデータをクリックすると、図５８に示すような画面に切り替わる。次いで、図５９に示すように、ユーザは、仕入一覧表画面左下の金額欄に、変更データを入力する。そして、誤りがなければ、金額欄の右脇の「ＯＫ］ボタンをクリックする。すると、図６０に示すような支払内訳画面が出てくる。上段（仕入金額）に表示されたデータが変更後の金額（消費税込みの金額）になっている。下段の枠で囲んだ中のデータが変更前の金額である。この金額を変更する。
【０１３４】
図６０の画面において、変更する行をクリックして選択し、右下の「変更」をクリックする。すると、図６１に示すような支払内訳変更画面が出てくる。そこで、変更する場所へカーソルを移動してクリックし、変更金額を入力する。誤りがなければ、「ＯＫ］をクリックする。すると、図６２に示されているような支払内訳画面に戻る。そこには、修正後の金額が表示される。誤りがなければ、右下の「仕入一覧へ」をクリックする。すると、図６３に示すように、金額修正後の仕入一覧表画面になり、変更が完了する。
【０１３５】
次に、本考案による借入資料作成装置および借入資料作成プログラムの一実施形態における支払一覧表を自動作成する機能について説明する。
【０１３６】
図６４には、本考案による借入資料作成装置および借入資料作成プログラムの一実施形態における支払一覧表の一例が示されている。支払一覧表は、仕入一覧表を出金ベースで表示したものである。
【０１３７】
すなわち、支払一覧表は、図のように、仕入先別の各年度における支払実績ないし支払予定金額を、各月（支払月）毎に示した表である。また、仕入商品名、支払条件、一年の合計（年計）、振込先等の項目に関する情報も示すことができる。このような支払一覧表が、前述の仕入一覧表からを自動作成される。
【０１３８】
ユーザが、キーボード５やマウス６を用いて、後述のように所定のデータを入力すると、同様の形式のデータ（支払一覧データ）が、ディスプレイ７に表示され、これがプリンタ９によりプリントアウトされる。
【０１３９】
そのようにして作成された支払一覧表のデータ（支払一覧データ）が、後述の銀行別出納帳に転記され、さらに後述の資金繰表に集計される。
【０１４０】
なお、図６４の４月〜７月のデータは、支払処理が完了している、いわゆる「実績」データ（実績支払高）である。８月〜３月のデータは、支払処理が完了していない、いわゆる「予定」データ（予定支払高）である。このように、支払処理が完了しているデータと完了していないデータとを判別可能なように表示すれば、ユーザは支払状況を容易に把握できる。
【０１４１】
ここで、仕入支払及び支払金額等の変更手順について説明する。
【０１４２】
仕入支払及び支払金額等の変更処理は、後述のようにディスプレイ７に表示された支払一覧表画面を用いて行う。すなわち、支払に変更（分割、延期、手形で支払う場合等）が生じた時、図６５に示すような支払一覧表画面を使って入力（変更処理）をする。
【０１４３】
なお、仕入金額の変更は前述のように仕入一覧表画面から行う。支払一覧表は、上記のような支払内容に変更が生じても、原則として、当初予定支払額が表示されるが、仕入一覧表画面から仕入金額が変更されれば、これに応じて自動的に変わる。
【０１４４】
前述のメニュー画面で、「支払一覧表」（メニューバーの「入力」またはボタン）をクリックすると、仕入先（支払先）名称選択画面（図５１参照）がディスプレイ７上にあらわれる。ユーザは、この仕入先（支払先）名称選択画面において選択する得意先の読み仮名のボタンを押して、支払先を入力する。その指定方法については、前述したのと同様である。そのようにして支払先を指定すると、支払一覧表画面があらわれる。
【０１４５】
まず、分割支払の場合について説明する。
【０１４６】
図６５の支払一覧表画面の変更するデータをクリックすると、図６６に示すような画面に切り替わる。ここでは、左下の金額欄に変更前の金額が表示されている。そこで、金額欄の右脇にある「変更」のボタンをクリックする。すると、図６７に示すような支払内訳画面が出てくる。そこで、変更するデータの行をクリックし、画面右下の「変更」ボタンをクリックする。すると、図６８に示すような支払内訳変更画面が出てくる。そこで、図６８に示すように、変更金額を入力し、誤りがなければ、「ＯＫ」をクリックする。すると、図６９に示すような支払内訳画面に戻ると同時に修正後の金額が表示される。分割支払ということであり、データを追加するので、この支払内訳画面の「追加」をクリックする。すると、図７０に示すような支払内訳追加画面が出てくる。そこで、各入力項目を入力し、誤りがなければ「ＯＫ］をクリックする。すると、図７１に示すような支払内訳画面に戻る。誤りがなければ、画面右下の「支払一覧へ」をクリックし、支払一覧表画面に戻る。
【０１４７】
次に、支払日の変更について説明する。
【０１４８】
図６５の支払一覧表画面において、変更の対象となるデータをクリックすると、図６６に示した支払一覧表画面になる。そこで、左下金額欄の右にある「変更」をクリックする。すると、図６７の支払内訳画面が出てくる。そこで、変更するデータの行をクリックし、右下の「変更」をクリックする。すると、図６８の支払内訳変更画面が出てくる。そこで、支払日の欄に変更後の支払日をキーボード５（テンキー）で入力する。そして、誤りがなければ、「ＯＫ］をクリックする。すると、図６７の支払内訳画面に戻る。ただし、支払予定日の欄には、修正後の日付が表示される。誤りがなければ、「支払一覧へ」をクリックし、変更を完了する。
【０１４９】
手形支払の場合も、図６８の支払内訳変更画面が出てくるまでは、支払日の変更と同じである。そして、支払内訳変更画面の預金区分の科目が「普通」となっているのを、図７２に示すように「手形振出」に変更する。他に問題がなければ、「ＯＫ」をクリックする。すると、図７３に示すような支払手形入力画面が出てくる。ここで、手形期日、手形番号、口座を入力する。誤りがなければ、「ＯＫ」をクリックする。すると、図７４に示すような支払内訳画面に戻る。そこには、備考欄に手形番号と期日が記入されている。特に問題がなければ、「支払一覧へ」をクリックし、変更を完了する。
【０１５０】
なお、同一支払先で同月に複数の仕入データがあって支払は手形一枚という場合は、手形金額を分割する。この場合、データのダブリ保護のため、手形番号を変える。
【０１５１】
手形裏書の場合は、支払内訳変更画面が出てくるもでは、支払日の変更と同じ手順で処理をすすめる。そして、支払内訳変更画面の預金区分の科目が「普通」となっているのを、図７５に示すように「手形裏書」に変更し、「ＯＫ］をクリックする。すると、図７６に示すような受取手形選択画面が出てくる。当該手形を選択（クリック）し、「ＯＫ」をクリックする。すると、支払内訳画面に戻る。そこには、図７７に示すように、備考欄に裏書手形、手形番号、期日が記入される。誤りがなければ、「支払一覧へ」をクリックし、変更を完了する。
【０１５２】
一部手形支払の場合は、図７３、図７４を用いて説明した手形支払の処理を行うと同時に、図６９、図７０を用いて説明した支払の追加処理を行う。
【０１５３】
支払銀行の変更の場合は、前述した支払日の変更処理と同じ要領で、支払銀行を変更する。
【０１５４】
次に、仕入・支払の削除について説明する。
【０１５５】
仕入取消の場合、図７８に示すように、仕入一覧表画面にて仕入金額「０」を入力する。
【０１５６】
図７９に示すよう支払内訳画面で「削除」をクリックする。すると、図８０に示すような支払内訳削除画面になるので、特に問題がなければ、「ＯＫ」をクリックする。すると、図８１に示すような削除後の支払内訳画面に戻る。さらに、「仕入一覧へ」をクリックすると、図８２に示すような削除後の仕入一覧表画面に戻る。
【０１５７】
分割支払から一回払いに変更になった場合は、該当データを支払一覧表画面で選択し、支払内訳画面で不要となったデータを削除する。支払内訳削除画面になると、「ＯＫ」をクリックする。変更を要する時は、ひきつづき変更処理を行う。
【０１５８】
ここで、支払確認について説明する。図８３には、本考案による借入資料作成装置および借入資料作成プログラムの一実施形態における支払確認一覧表画面が示されている。これは、買掛金の支払管理を行う画面である。
【０１５９】
前述したメニュー画面で「支払確認」（メニューバーの「入力」またはボタン）をクリックする。すると、図５０に示した日付入力画面が出てくる。そこで、確認を行う月を入力し、「ＯＫ」をクリックする。すると、図８３に示された支払確認一覧表画面が出てくる。ここには、当月の支払予定データが表示されている。支払が確認されれば、右端にある確認欄に確認済の印をつける（支払確認をした行をクリックする。）。完了したら、「メニューへ」をクリックする。
【０１６０】
次に、本考案による借入資料作成装置および借入資料作成プログラムの一実施形態におけるその他入金予定表を自動作成する機能について説明する。
【０１６１】
図８４には、本考案による借入資料作成装置および借入資料作成プログラムの一実施形態におけるその他入金予定表の一例が示されている。
【０１６２】
受取利息等（売上・借入以外）の入金データは、図のように「預金・入金元」、「日付（入金日）」、「摘要」、「（入金）金額」、「（入金）銀行」、「備考」「その他入金合計」の項目に区分けされた表に整理される。ユーザが、キーボード５やマウス６を用いて、後述のように所定のデータを入力すると、同様の形式のデータ（その他入金予定データ）が、ディスプレイ７に表示され、これがプリンタ９によりプリントアウトされる。こうして、受取利息等（売上・借入以外）の入金に対してはその他入金予定表が自動作成される
【０１６３】
そのようにして作成されたその他入金予定表のデータ（その他入金予定データ）が、後述の銀行別出納帳に転記され、さらに後述の資金繰表に集計される。
【０１６４】
ここで、その他入金予定データの追加・変更・削除の処理手順について説明する。
【０１６５】
新規のデータを追加する場合は、まず、メニュー画面で「その他入金」（メニューバーの「入力」またはボタン）をクリックする。すると、図５０に示した日付入力画面が出てくる。そこで、入力を行う月を入力し、「ＯＫ」をクリックする。すると、図８５に示したその他入金表画面が出てくる。そこで、新規データを入力するときは、「追加」をクリックする。すると、図８６に示すような、その他入金登録画面が出てくる。そこで、入金日、入金元、預金区分、金額、入金銀行、摘要を入力する。誤りがなければ、「ＯＫ」をクリックする。すると、図８６に示すようなその他入金表画面に戻る。特に問題がなければ、「メニューへ」をクリックする。
【０１６６】
データを変更する場合は、その他入金表画面を呼び出し、図８８に示すように、変更するデータの行をクリックして選択し、画面右下の「変更」をクリックする。すると、図８９に示すようなその他入金変更画面が出てくる。ここで、キーボード５（テンキー）を用いて変更すべき箇所を変更し、「ＯＫ」をクリックする。すると、図９０に示すその他入金表画面に戻るので、特に問題がなければ、「メニューへ」をクリックする。
【０１６７】
データを削除する場合は、その他入金表画面を呼び出し、図９１に示すように、削除するデータの行をクリックして選択し、画面右下の「削除」をクリックする。すると、図９２に示すようなその他入金削除画面が出てくる。当該データを削除してよければ、「ＯＫ」をクリックする。すると、図９３に示すように、削除後のその他入金表画面が出てくるので、特に問題がなければ、「メニューへ」をクリックする。
【０１６８】
次に、本考案による借入資料作成装置および借入資料作成プログラムの一実施形態における経費その他支払表を自動作成する機能について説明する。
【０１６９】
図９４には、本考案による借入資料作成装置および借入資料作成プログラムの一実施形態における経費その他支払表（経費等支払一覧）の一例が示されている。
【０１７０】
人件費・経費等、仕入・借入返済以外の出金データは、図のように「預金・科目」、「日付（出金日）」、「摘要」、「（出金）金額」、「支払銀行」、「備考」「支払合計」の項目に区分けされた表に整理される。
【０１７１】
ユーザが、キーボード５やマウス６を用いて、後述のように所定のデータを入力すると、同様の形式のデータ（経費その他支払データ）が、ディスプレイ７に表示され、これがプリンタ９によりプリントアウトされる。このようにして、人件費・経費その他の支払（仕入・借入返済以外）の出金に対して、経費その他支払表が自動作成される。
【０１７２】
そのようにして作成された経費その他支払表のデータ（経費その他支払データ）が、後述の銀行別出納帳に転記され、さらに後述の資金繰表に集計される。
【０１７３】
ここで、経費その他支払データの入力（追加・変更・削除）の手順について説明する。
【０１７４】
仕入、支払手形、借入返済以外の支出は、全て後述の経費・その他支払表画面を使って入力する。操作方法は、その他入金表画面と基本的に同じであるが、「科目」の欄がある点が異なる。「科目」は、経費・その他支払の内訳を表示し、資金繰表の支出項目（人件費，経費、設備資金、税金・配当金、支払利息、その他）からなる。ただし、資金繰表の支出項目以外で振替も科目の中に表示される。なお、振替には、他行振替（４パターン）、同行振替（２パターン）がある。
【０１７５】
メニュー画面で「経費・その他支払」（メニューバーの「入力」またはボタン）をクリックし、図９５に示す日付入力画面で入力を行う月を入力する。すると、図９６に示すような経費・その他支払表画面が出てくる。そこで、新規又は追加でデータを入力する時は、「追加」を、変更の時は「変更」を、削除の時は「削除」をクリックする。
【０１７６】
図９７には、データの新規（追加）登録画面が示されている。
科目については，↓バーをクリックして、該当する科目（又は取引）を選択する。他行振替又は同行振替を選択した時は、摘要の入力は不要である。
他行振替の場合、「ＯＫ」を押すと、振替先選択画面が出てくるので、該当する銀行をクリックする。
一度登録された摘要は、↓バーをクリックすると出てくる。
全て入力されたら、「ＯＫ」をクリックする。
【０１７７】
なお、図９８には、データの変更処理を行う画面（経費・その他支払変更画面）が示されている。また、図９９には、データを削除する画面（経費・その他支払削除画面）が示されている。それぞれの画面を用いて、経費その他支払データの変更・削除を行う。
【０１７８】
次に、本考案による借入資料作成装置および借入資料作成プログラムの一実施形態における借入金一覧表・借入金返済予定表を自動作成する機能について説明する。
【０１７９】
図１００には、本考案による借入資料作成装置および借入資料作成プログラムの一実施形態における借入金一覧表の一例が示されている。これは、「借入日」、「借入先」ごとに、「長／短・口座」、「借入残高」、「入金銀行」「利率／利息」を示した表である。他に、「備考」欄もあり、また、「借入合計」も示される。
【０１８０】
図１０１には、本考案による借入資料作成装置および借入資料作成プログラムの一実施形態における借入金返済予定表の一例が示されている。これは、「借入日」、「借入先」ごとに、残高、返済（予定）日を示した表である。他に、「長／短・口座」、「金額」、「入金銀行」「利率／利息」、「備考」の欄もある。
【０１８１】
ユーザが、キーボード５やマウス６を用いて、後述のように所定のデータを入力すると、同様の形式のデータ（借入金一覧データ・借入金返済予定データ）が、ディスプレイ７に表示され、これらがプリンタ９によりプリントアウトされる。このようにして、借入に対しては借入金一覧表・借入金返済予定表が自動作成される。
【０１８２】
そのようにして作成された借入金一覧表と借入金返済予定表とのデータ（借入金一覧データ・借入金返済予定データ）が、後述の銀行別出納帳に転記され、さらに後述の資金繰表に集計される。
【０１８３】
ここで、借入金一覧データ・借入金返済予定データの入力（登録・変更・削除）の手順について説明する。
【０１８４】
借入・返済に関するデータの入力は、図１０２に示す借入金一覧画面から行う。
【０１８５】
借入登録をする場合、まず、前述のメニュー画面で「借入金一覧」（メニューバーの「入力」内またはボタン）をクリックする。すると、図１０１に示した借入金一覧画面が出てくるので、そこで、「借入登録」をクリックする。すると、図１０３示すような借入金登録画面が出てくるので、そこで、キーボード５を用いて、借入日、借入先、金額、借入利率、入金銀行，口座の区分（普通又は当座）、長／短の区分を入力し、誤りがなければ、「ＯＫ」をクリックする。すると、図１０４に示すような借入金一覧画面に戻るので、「メニューへ」をクリックする。
【０１８６】
借入変更をする場合、図１０５に示すように、借入金一覧表画面で変更する行をクリックして選択し、変更データを特定する。そして、「借入変更」をクリックする。すると、図１０６に示すような借入金変更画面が出てくるので、変更する箇所にカーソルを移動し、マウス６やキーボード５等を用いて、データを変更し、「ＯＫ」をクリックする。すると、図１０７に示すような借入金一覧画面に戻る。
【０１８７】
借入削除をする場合、図１０８に示すように、借入金一覧表画面で削除する行をクリックして選択し、削除データを特定する。そして、「借入削除」をクリックする。すると、図１０９に示すような借入金削除画面が出てくるので、当該データを削除してよければ、「ＯＫ」をクリックする。すると、借入削除後の借入金一覧画面に戻る。
【０１８８】
借入返済の場合、図１１０に示すように、借入金一覧表画面で返済データを入力する行をクリックして選択し、返済データを特定する。そして、「返済計画」をクリックする。すると、図１１１に示すような借入金返済計画画面が出てくる。
【０１８９】
そこで、返済年月日、返済金額、借入利息を入力し、「ＯＫ」をクリックする。すると、図１１２に示すような借入金一覧画面に戻るので、「メニューへ」をクリックする。
なお、借入利息については、この画面で入力しないで、「経費・その他の支払」の支払利息でも入力できる。
【０１９０】
次に、売上代金を手形で受け取る場合に受取手形帳を自動作成する機能について説明する。
【０１９１】
図１１３には、本考案による借入資料作成装置および借入資料作成プログラムの一実施形態における受取手形帳（受取手形一覧表）の一例が示されている。これは、受取手形のリストを示した表である。本実施形態においては、受取手形ごとの「受取日」、「番号」、「振出・裏書人」、「支払・引受人」「金額」、「入金銀行」「期日」、「てん末」等が示されている。
【０１９２】
前述のように、売上代金などを手形で受け取る場合は、図４２に示された受取手形入力画面から受取手形のデータを入力する。そして、そのような入力が行われると、図１１３に示されたような受取手形帳（受取手形一覧表）と同様の形式のデータ（受取手形帳データ（受取手形一覧表データ））が自動作成され、ディスプレイ７に表示される。これをプリンタ９によりプリントアウトしたものが受取手形帳（受取手形一覧表）である。
なお、手形の裏書は、図７５に示した支払内訳変更画面、図７６に示した受取手形選択画面を用いて入力する。
【０１９３】
以上のようにして作成された受取手形帳（受取手形一覧表）のデータ（受取手形帳データ（受取手形一覧表データ）が、手形の処理予定（期日落・裏書・割引）により後述の銀行別出納帳に転記され、さらに後述の資金繰表に集計される。
【０１９４】
なお、入金処理が完了しているか否かを判別可能なようにデータを提示することが好ましい。例えば、入金処理が終了している手形に関するデータについては、図１１３に示したように「てん末」欄に「済」と表示すれば、ユーザは入金処理が終了している手形か否かを容易に判別可能となる。
【０１９５】
また、手形裏書処理が行われた手形も判別可能なように受取手形データを提示することが好ましい。例えば、このような手形の「てん末」欄には、図１１２に示すように「裏書」と記し、「裏書日」を表示すれば、ユーザは裏書処理が行われた手形か否かを判別可能となる。
【０１９６】
また、手形割引処理が行われた手形も判別可能なように受取手形データを提示することが好ましい。例えば、図１１３に示すように割引が行われた手形のデータの「てん末」欄に「割引」と付せば、ユーザは割引処理が行われた手形か否かを判別可能となる。
【０１９７】
上記のように、「てん末」欄に手形裏書処理や手形割引処理に関するデータを表示させることと、後述の手形の割引処理とそのてん末の明細処理、及び手形裏書のてん末の明細処理を関連させのが好ましい。
【０１９８】
ここで、手形の割引処理について説明する。
【０１９９】
前述のメニュー画面で「受取手形帳」（メニューバーの「入力」内またはボタン）をクリックすると、図１１４に示すような受取手形帳画面が出てくる。そこで、手形割引をするデータをクリックして選択し、画面右下にある「手形割引」をクリックする。
【０２００】
すると、図１１５に示すような  手形割引入力画面が出てくるので、割引処理日、割引後の金額、割引銀行、口座を入力し、「ＯＫ」をクリックする。すると、図１１６に示すような受取手形帳画面に戻るので、特に問題がなければ、「メニューへ」をクリックする。
【０２０１】
このようにして手形の割引処理が行われると、図１１６に示すとおり、受取手形帳画面上のてん末欄に「割」の文字が記される。
なお、割引料は、自動計算で支払利息に算入される。
【０２０２】
割引取消等、手形割引処理をしていたデータを変更する場合は、図１１７に示すように、受取手形帳画面において、手形の割引処理がなされているデータの行を選択し、画面右下の「割引取消」をクリックする。すると、図１１８に示すような手形割引取消画面があらわれる。そこで、例えば、当該手形の割引を無効にしてよければ、「ＯＫ」をクリックする。すると、図１１９に示すような受取手形帳画面に戻る。そこでは、てん末欄の「割」の文字が消えている。
【０２０３】
割引手形のてん末の明細を知りたい時は、図１２０に示すように、受取手形帳画面において、該当手形の行をクリックして特定し、次いで、メニューバーで「表示」をクリックし、「てん末情報表示」を選択する。すると、図１２１に示すような受取手形てん末（割引）画面が出てくる。そこには、割引処理日、割引銀行、割引後額、口座等が表示されるので、これを確認した後、画面右下の「受取手形帳へ」をクリックする。
【０２０４】
裏書手形のてん末の明細を知りたい時は、図１２２に示すように、受取手形帳画面において、該当手形の行をクリックして特定し、次いで、メニューバーで「表示」をクリックし、「てん末情報表示」を選択する。すると、図１２３に示すような受取手形てん末（裏書）画面が出てくる。そこには、裏書支払日、支払額等が表示されるので、これを確認した後、画面右下の「受取手形帳へ」をクリックする。
【０２０５】
次に、本考案による借入資料作成装置および借入資料作成プログラムの一実施形態における支払手形帳を自動作成する機能について説明する。
【０２０６】
図１２４には、本考案による借入資料作成装置および借入資料作成プログラムの一実施形態における支払手形帳（支払手形一覧表）の一例が示されている。これは、支払手形のリストを示した表である。本実施形態においては、支払手形ごとの「振出日」、「番号」、「科目／仕入先」、「摘要」「金額」、「支払銀行」「期日」、「てん末」等が示されている。
【０２０７】
前述のように、仕入代金などを手形で支払う場合は、図７３に示された支払手形入力画面から支払手形のデータを入力する。そして、そのような入力が行われると、図１２４に示された支払手形帳（支払手形一覧表）と同様の形式のデータ（支払手形帳データ（支払手形一覧表データ））が自動作成され、ディスプレイ７に表示される。これをプリンタ９によりプリントアウトしたものが支払手形帳（支払手形一覧表）である。このようにして、仕入代金を手形で支払う場合には支払手形帳が自動作成される。
【０２０８】
以上のようにして作成された支払手形帳（支払手形一覧表）のデータ（支払手形帳データ（支払手形一覧表データ））が、支払期日により後述の銀行別出納帳に転記され、さらに後述の資金繰表に集計される。
【０２０９】
なお、手形の支払が完了しているか否かを判別可能なようにデータを提示することが好ましい。例えば、支払が終了している手形に関するデータについては、図１２４に示したように「てん末」欄に「済」と表示すれば、ユーザは手形の支払が終了している手形か否かを容易に判別可能となる。
【０２１０】
前述のメニュー画面において、「支払手形帳」（メニューバーの「入力」内またはボタン）を選択すると、図１２５に示す画面がディスプレイ７上にあらわれるので、ユーザは、プリントアウトしなくても、「支払手形帳」データを閲覧することができる。特に問題がなければ、「メニューへ」をクリックする。
【０２１１】
次に、本考案による借入資料作成装置および借入資料作成プログラムの一実施形態における銀行別出納帳（銀行別入手金一覧表）を自動作成する機能について説明する。
【０２１２】
図１２６には、本考案による借入資料作成装置および借入資料作成プログラムの一実施形態における銀行別出納帳（銀行別入手金一覧表）の一例が示されている。これは、取引銀行ごとの一日単位の「入金（金額）」、「出金（金額）」、「残高」等の明細を半月分示した表である。つまり、一日単位の入金金額及び出金金額を取引銀行ごとに示したものといえる。
【０２１３】
前述した入金一覧表と、支払一覧表と、受取手形帳と、支払手形帳と、その他入金予定表と、経費その他支払表と、借入金一覧表ないし借入金返済予定表と、からこのような銀行別出納帳が自動作成される。
【０２１４】
すなわち、入金一覧表データと、支払一覧表データと、受取手形帳データと、支払手形帳データと、その他入金予定表データと、経費その他支払表データと、借入金一覧表データないし借入金返済予定表データと、から、ユーザの金融機関ごとの入出金の一覧を示すデータ（銀行別入出金一覧データ）が自動作成され、ディスプレイ７に表示される。これをプリンタ９によりプリントアウトしたものが銀行別出納帳（銀行別入手金一覧表）である。
【０２１５】
銀行別入出金一覧データは、売上データ、その他入金データ、仕入データおよびその他支払データの内、入金方法または支払方法が「銀行振込」または「手形」となっているデータと、預入・引き出しデータと、借入・借入金データとを、日付順に並べたデータといえる。
【０２１６】
売上データやその他入金データは、「入金額」を「入金」欄に表示する。また、「摘要」欄など他の項目も表示してもよい。例えば、「大山産業」から「手形」の入金が「２０６００００」円あった場合、図１２６に示す銀行別入出金一覧表例の「２０日」の「入金」欄のように表示する。
【０２１７】
仕入データおよびその他支払データは、「支払額」を「出金欄」に表示する。また、「摘要」欄など他の項目も表示してよい。例えば、「家賃」を「１００００００」円振り込んだ場合、図１２６に示す銀行別入出金一覧表例の「２０日」の「出金」欄のように表示する。
【０２１８】
金融機関から借入があった場合には、借入・借入金データに基づき、借入額を「入金欄」に表示する。借入金を返済した（返済する）場合には、返済額を「出金欄」に表示する。
【０２１９】
なお、同一得意先で複数プロジェクトがある場合、銀行別入出金一覧表には各プロジェクトの入金予定が合計されて表示することが好ましい。例えば、「２０日」に「大山産業」から「１００００００」円の手形と「１０６００００」円の手形の入金があった場合には、図１２６に示したように両者を併せて表示する。
【０２２０】
預入・引き出し情報は、ユーザが金融機関に現金の預け入れを行った場合には、その金融機関の口座と、入金日、入金額の情報が含まれる。現金の引き出しを行った場合には、その金融機関の口座と、出金日、出金額の情報が含まれる。
【０２２１】
なお、銀行別入出金一覧データは、図１２６、図１２７に示すように口座の種類（普通か当座か）ごとに分けて作成しても、図１２８に示すように銀行単位で（普通と当座をまとめて）作成してもよい。
【０２２２】
また、残高を算出することが好ましい。残高は、予め登録された初期預金額から、入金があった場合にはその入金額を加算し、出金があった場合にはその出金額を減算することで算出できる。
また、所定の期間毎（好ましくは月毎）の入金額の合計額、出金額の合計額、および／または残高を表示することが好ましい。
【０２２３】
次に、本考案による借入資料作成装置および借入資料作成プログラムの一実施形態における合計出納表（総合入出金一覧表）を自動作成する機能について説明する。
【０２２４】
図１２９には、本考案による借入資料作成装置および借入資料作成プログラムの一実施形態における合計出納表（総合入出金一覧表）の一例が示されている。これは、すべての取引銀行との半月単位の「入金（金額）」、「出金（金額）」、「残高」等を日付順に示した表である。つまり、銀行からの入金金額及び銀行に対する出金金額の明細を一日単位で示したものといえる。
【０２２５】
前述のように、入金一覧表と、支払一覧表と、受取手形帳と、支払手形帳と、その他入金予定表と、経費その他支払表と、借入金一覧表ないし借入金返済予定表と、から銀行別出納帳が自動作成される。すなわち、入金一覧表データと、支払一覧表データと、受取手形帳データと、支払手形帳データと、その他入金予定表データと、経費その他支払表データと、借入金一覧表データないし借入金返済予定表データと、から、ユーザの金融機関ごとの入出金の一覧を示すデータ（銀行別入出金一覧データ）が自動作成される。
【０２２６】
さらに、金融機関ごとの入出金の一覧を示すデータ（銀行別入出金一覧データ）から、すべての取引銀行との半月単位の「入金（金額）」、「出金（金額）」、「残高」等を日付順に示したデータ（総合入出金一覧表データ）が自動作成される。つまり、すべての取引銀行の銀行別入出金一覧データを１つの表にまとめたものが、総合入出金一覧表データである。そして、この総合入出金一覧表データが、ディスプレイ７に表示される。これをプリンタ９によりプリントアウトしたものが合計出納表（総合入出金一覧表）である。このようにして、銀行別出納帳（銀行別入手金一覧表）から合計出納表（総合入出金一覧表）が自動作成される。
【０２２７】
総合入出金一覧表データは、売上データ、その他入金データ、仕入データおよびその他支払データの内、入金方法または支払方法が「銀行振込」または「手形」となっているデータと、預入・引き出しデータと、借入・借入金データとを、日付順に並べたデータといえる。つまり、各データを金融機関ごとに分けない点を除いては、銀行別入出金一覧データと同様といえる。
【０２２８】
また、総合入出金一覧表データは、残高を表示することが好ましい。なお、預金種別（普通、当座等）毎に作成可能としてもよい。
【０２２９】
次に、本考案による借入資料作成装置および借入資料作成プログラムの一実施形態における資金繰表を自動作成する機能について説明する。
【０２３０】
図１３０には、本考案による借入資料作成装置および借入資料作成プログラムの一実施形態における資金繰表の一例が示されている。前述の合計出納表（総合入出金一覧表）からこのような資金繰表が自動作成される。
【０２３１】
資金繰表は、企業資金の流れを把握するために、収入と支出について月毎に分類、集計し、一表に集約したものである。本実施形態においては、図１３０のように、「売上高」、「仕入高」、「収入」「前月より繰越高」「収入」「支出」「差引過不足高」「財務収支」「翌月へ繰越高」「主要科目月末残高」等が月別に示されている。
【０２３２】
「収入」の欄は、「売上現金回収」、「受手期日入金」、「手形割引」、「前受け金」、「その他」、「（手形回収）」、及び「合計」の欄に分かれている。  「支出」の欄は、「仕入現金支払」、「支手決済」、「前渡金」、「人件費」、「経費」、「設備資金」、「税金・配当金」、「支払利息」、「その他」、「（振出手形）」、及び「合計」の欄に分かれている。
「財務収支」の欄は、「借入金」と、「借入金返済」、とに分かれている。
「主要科目月末残高」の欄は、「受取手形」、「売掛金」、「支払手形」、「買掛金」、「割引手形」、「借入金」、とに分かれている。
このように、企業の収入と支出について、所定の項目に分類し、金額を集計して、一表に集約した資金繰表が自動作成される。
ただし、本考案は、このような形式には限定されない。
【０２３３】
前述のように売上見込みデータから売上一覧表データと入金一覧表データとが、仕入見込みデータから仕入一覧表データと支払一覧表データとが、売上・借入以外の入金に対しては、その他入金予定表データが、仕入・借入返済以外の出金に対しては、その他支払表データが、借入に対しては、借入金返済予定表データが、それぞれ自動作成される。そして、入金一覧表データと、支払一覧表データと、その他入金予定表データと、その他支払表データと、借入金返済予定表データと、から銀行別出納帳データが自動作成される。また、銀行別出納帳データから合計出納表データが自動作成される。さらに、合計出納表データから資金繰表データが自動作成される。この資金繰表データが、ディスプレイ７に表示される。これをプリンタ９によりプリントアウトしたものが資金繰表である。このようにして、売上見込みデータと、仕入見込みデータと、その他入金見込みデータと、その他支払い見込みデータと、借入金及び借入金返済見込みデータと、の入力から資金繰表が自動作成される。
【０２３４】
なお、前述の受取手形帳データ、支払手形帳データもこの資金繰表（データ）に反映される。
【０２３５】
次に、本考案による借入資料作成装置および借入資料作成プログラムの一実施形態における銀行取引状況表を自動作成する機能について説明する。
【０２３６】
図１３１には、本考案による借入資料作成装置および借入資料作成プログラムの一実施形態における銀行取引状況表の一例が示されている。これは、銀行別に割引手形残高（商手）と、短期借入残高と、長期借入残高と、預金残高と、を示した表である。
【０２３７】
前述した、借入金一覧表データ、借入金返済予定表データ、銀行別出納帳データ、合計出納帳データ、資金繰り表データ等から、銀行別に割引手形残高（商手）と、短期借入残高と、長期借入残高と、預金残高と、を示した表のデータ（銀行取引状況表データ）が自動作成される。この銀行取引状況表データが、ディスプレイ７に表示される。これをプリンタ９によりプリントアウトしたものが銀行取引状況表である。
【０２３８】
預金残高は、各金融機関の普通口座の残高と、当座口座の残高と、ユーザに入力させた固定性預金（定期預金など）残高とを合計した金額である。
【０２３９】
借入金額は、借入・借入金データ（借入金一覧表データ・借入金返済予定表データ）を金融機関ごとに分けて、それぞれの額を合計したものである。なお、返済した額を借入額から減算してもよい。また、長期借入金と短期借入金とを分けて表示することが好ましい。長期と短期の境界は任意に設定できる。
【０２４０】
次に、本考案による借入資料作成装置および借入資料作成プログラムの一実施形態における上述した以外の機能について説明する。
【０２４１】
本考案による借入資料作成装置および借入資料作成プログラムは、銀行（預金）残高日計データ作成機能をさらに有する。
銀行（預金）残高日計データは、各金融機関ごと（または口座毎）に預金残高を日付順に表示し、かつ、全銀行の預金残高の合計額を日付毎に算出しこれを表示したデータである。
なお、全金融機関の預金残高を預金種別毎に日付毎に算出し、これを表示するようにしてもよい。
【０２４２】
本考案による借入資料作成装置および借入資料作成プログラムは、現金出納データ（現金出納帳）作成機能をさらに有する。
現金出納データは、ユーザが所持する現金の流れを示すデータである。具体的には、売上データ、その他入金データ、仕入データおよびその他出金データの内、入金方法または出金方法が「現金」であるデータを日付毎に並べ、かつ、残高を算出し、これを表示する。
【０２４３】
本考案による借入資料作成装置および借入資料作成プログラムは、仕訳日記帳作成機能をさらに有する。
【０２４４】
仕訳日記帳作成機能は、売上データ、その他入金データ、仕入データおよびその他出金データから仕訳日記帳を作成する機能である。この機能を実現するためには、これらのデータの入力時または入力後に、それぞれのデータが属する「科目」をユーザに選択および／または入力させる。入力された「科目」の情報は、各データに含める。そして、これらのデータを「科目」毎に仕分けし、各科目毎に日付順に並べ、所定の形式（仕訳日記帳形式）の一覧データを作成する。
【０２４５】
上記仕訳日記帳形式では、各データ毎に、少なくとも科目、科目コード、日付、摘要、金額、入金銀行／出金銀行の情報を表示する。また、借方／貸方毎に各科目毎および／または全データの合計金額を算出し、これを表示することが好ましい。
【０２４６】
売上データ、その他入金データ、借入金データ（借入の場合）は、借方に「預金」種別、貸方に各データの科目を表示する。預金種別としては、通常、当座と普通があり、各データに含まれる。科目としては、例えば、売上現金回収、受手期日入金、手形割引、借入金、その他といった科目がある。
仕入データ、その他支払データ、借入金データ（借入金返済の場合）は、借方に各データの科目、貸方に預金種別を表示する。科目としては、例えば、仕入現金支払い、仕手決済、人件費、経費、設備資金、税金、配当金、支払利息、その他、借入金返済、他行振替、同行振替などがある。
【０２４７】
科目コードは、各データに予め登録させ、これを表示してもよいが、空欄のままにしてもよい。
日付は、売上日、仕入日等である。
摘要は、各データの摘要欄に含まれる情報を表示すればよい。例えば、売上現金回収の場合には得意先名を表示、振替の場合は支払先銀行、支払の場合は仕入れ先名を表示する。
金額は、入金金額、出金金額、借入金額、借入金返済額を表示する。
備考欄がある場合には、これを表示してもよい。例えば、振替の場合のみ振替先の口座の種類（普通、当座）を表記してもよい。
【０２４８】
なお、同一科目で同一日時のデータ（売上現金回収場合はさらに同一取引先のデータ）は、合計金額を算出し、この金額を表示することが好ましい。
また、振替が行われているデータについては仕訳日記帳に表示する必要はない。
【０２４９】
また、売掛金などの入金に関する仕訳日記帳、経費などの支払に関する仕訳日記帳および振替仕訳に関する仕訳日記帳をそれぞれ作成すれば、決算処理が極めて容易になる。
売掛金などの入金に関する仕訳日記帳は、売上データ、その他入金データおよび借入金データ（借入金に関する情報）を用い、前記同様に作成すればよい。
経費などの支払いに関する仕訳日記帳は、仕入データ、その他出金データおよび借入金データ（借入金返済に関する情報）を用い、前記同様に作成すればよい。
【０２５０】
振替仕訳に関する仕訳日記帳は、売上データ、その他入金データ、仕入データおよびその他出金データの内、振替が行われたデータをピックアップし、各科目毎に仕訳日記帳を作成する。
【０２５１】
売掛金／売上の振替に関しては、日付は末日とし、金額は売上金合計額とする。摘要欄には、例えば、「３月度売上高」のように振替の内容を判別可能とする情報を含めることが好ましい。
【０２５２】
仕入／買掛金の振替に関しては、日付は末日とし、金額は仕入金合計額とする。摘要欄には、例えば、「３月度仕入高」のように振替の内容を判別可能とする情報を含めることが好ましい。
【０２５３】
受取手形／売掛金の振り替えに関しては、日付は末日とし、金額は手形回収額とする。摘要欄には、例えば、「３月度仕入高」のように振替の内容を判別可能とする情報を含めることが好ましい。
【０２５４】
割引手形／受取手形の振替に関しては、日付は末日とし、金額は割引手形で当月期日到来の合計金額とする。摘要欄には、例えば、「３月度割引手形期日到来分」のように振替の内容を判別可能とする情報を含めることが好ましい。
【０２５５】
買掛金／受取手形の振替に関しては、日付は末日とし、金額は営業外受取手形を除く、裏書日が当月の合計金額とする。摘要欄には、「３月度裏書手形」のように振替の内容を判別可能な情報とすることが好ましい。
【０２５６】
買掛金／支払手形の振替に関しては、日付は末日とし、金額は営業外支払手形を除く当月振出手形の額とする。摘要欄には、例えば、「３月度支払手形」のように振替の内容を判別可能な情報を記載する。
【０２５７】
また、以下の情報は、上記データとは別にユーザが入力する。
（１）買掛金／売掛金の振り替え
摘要欄には「相殺」などの振替内容を判別可能な情報を記載する。
（２）給与／預かり金の振り替え
摘要欄には厚生年金、健康保険、源泉所得税、住民税、財形等の振替内容を判別可能な情報を記載する。
（３）旅費交通費／給与の振替
摘要欄には通勤定期代振替のように振替内容を判別可能な情報を記載する。
（４）給与／法定福利費の振替
摘要欄には雇用保険のように振替内容を判別可能な情報を記載する。
（５）雑費／預かり金の振替
摘要欄には源泉所得税のように振替内容を判別可能な情報を記載する。
【０２５８】
最後に、本考案による借入資料作成プログラムについて説明する。
【０２５９】
本考案に係る借入資料作成プログラムは、コンピュータに、上述した資金繰データ処理装置としての機能を実現させるためのプログラムである。つまり、本考案による借入資料作成装置に、少なくとも上記資金繰りデータ作成機能を実現させ、さらに、売上一覧データ作成機能、仕入一覧データ作成機能、売上を除く入金データ作成機能、仕入を除く支払データ作成機能、借入・借入金返済予定データ作成機能、現金出納データ（現金出納帳）作成機能、銀行別入出金一覧データ作成機能、銀行別残高日計データ作成機能、入出金合計データ作成機能、銀行取引状況データ作成機能および／または仕訳日記データ（仕訳日記帳）作成機能を実現させるプログラムである。  本考案に係る借入資料作成プログラムは、コンピュータに、上述した資金繰データ処理装置としての機能を実現させるためのプログラムである。
【０２６０】
すなわち、本考案による借入資料作成プログラムは、図１に示したようなハードウエア（コンピュータ）を有する本考案による借入資料作成装置に、上述したような、資金繰表（データ）作成機能、売上一覧表（データ）作成機能、入金一覧表（データ）作成機能、仕入一覧表（データ）作成機能、支払一覧表（データ）作成機能、受取手形帳（データ）作成機能、支払手形帳（データ）作成機能、その他入金予定表（データ）作成機能、経費その他支払表（データ）作成機能、借入金一覧表（データ）作成機能、借入金返済予定表（データ）作成機能、銀行別出納帳（データ）作成機能、合計出納帳（データ）作成機能、銀行取引状況表（データ）作成機能、銀行別残高日計（データ）作成機能、現金出納帳（データ）作成機能、および／または仕訳日記帳（データ）作成機能を実現させるプログラムである。
【０２６１】
以上、この考案の好適な実施の形態を説明したが、上述の実施の形態はこの考案の説明のための例示であって、この実施形態のみにこの考案の範囲を限定する趣旨ではない。当業者は、この考案の要旨を逸脱することなく、種々の変形、改良、修正、簡略化などを上記実施形態に加えた種々の他の形態でもこの考案を実施することができる。
例えば、上記説明では、資金繰りなどを各月毎に算出したが、所定の期間毎（例えば、各週毎、各日毎、半期毎等）に算出してもよい。どのような期間毎に算出するかは、ユーザの財務環境毎に決定すればよい。
【図面の簡単な説明】
【０２６２】
【図１】本考案による借入資料作成装置および借入資料作成プログラムの一実施形態におけるハードウエア構成図である。
【図２】本考案による借入資料作成装置および借入資料作成プログラムの一実施形態における概念構成図である。
【図３】本考案による借入資料作成装置および借入資料作成プログラムの一実施形態における入力データの流れ、および各機能の関係の概略を示す図である。
【図４】本考案による借入資料作成装置および借入資料作成プログラムの一実施形態におけるメニュー画面のイメージ図である。
【図５】本考案による借入資料作成装置および借入資料作成プログラムの一実施形態における対象年度変更画面のイメージ図である。
【図６】本考案による借入資料作成装置および借入資料作成プログラムの一実施形態におけるメニュー画面のイメージ図である。
【図７】本考案による借入資料作成装置および借入資料作成プログラムの一実施形態における銀行残高登録画面のイメージ図である。
【図８】本考案による借入資料作成装置および借入資料作成プログラムの一実施形態における銀行追加画面のイメージ図である。
【図９】本考案による借入資料作成装置および借入資料作成プログラムの一実施形態における銀行残高登録画面のイメージ図である。
【図１０】本考案による借入資料作成装置および借入資料作成プログラムの一実施形態における初期設定残高変更画面のイメージ図である。
【図１１】本考案による借入資料作成装置および借入資料作成プログラムの一実施形態における銀行残高登録画面のイメージ図である。
【図１２】本考案による借入資料作成装置および借入資料作成プログラムの一実施形態におけるメニュー画面のイメージ図である。
【図１３】本考案による借入資料作成装置および借入資料作成プログラムの一実施形態におけるメニュー画面のイメージ図である。
【図１４】本考案による借入資料作成装置および借入資料作成プログラムの一実施形態におけるデータのバックアップ画面のイメージ図である。
【図１５】本考案による借入資料作成装置および借入資料作成プログラムの一実施形態においてデータのバックアップ画面で「フロッピー（登録商標）ディスクからの復元」をクリックした時の画面のイメージ図である。
【図１６】本考案による借入資料作成装置および借入資料作成プログラムの一実施形態における売上一覧表（受注明細書）の一例である。
【図１７】本考案による借入資料作成装置および借入資料作成プログラムの一実施形態における得意先名称選択画面のイメージ図である。
【図１８】本考案による借入資料作成装置および借入資料作成プログラムの一実施形態における売上一覧表画面のイメージ図である。
【図１９】本考案による借入資料作成装置および借入資料作成プログラムの一実施形態における得意先・商品登録画面のイメージ図である。
【図２０】本考案による借入資料作成装置および借入資料作成プログラムの一実施形態における得意先・商品削除画面のイメージ図である。
【図２１】本考案による借入資料作成装置および借入資料作成プログラムの一実施形態における売上一覧表画面のイメージ図である。
【図２２】本考案による借入資料作成装置および借入資料作成プログラムの一実施形態における売上一覧表画面のイメージ図である。
【図２３】本考案による借入資料作成装置および借入資料作成プログラムの一実施形態における売上一覧表画面のイメージ図である。
【図２４】本考案による借入資料作成装置および借入資料作成プログラムの一実施形態における売上一覧表画面のイメージ図である。
【図２５】本考案による借入資料作成装置および借入資料作成プログラムの一実施形態における売上一覧表画面のイメージ図である。
【図２６】本考案による借入資料作成装置および借入資料作成プログラムの一実施形態における売上一覧表画面のイメージ図である。
【図２７】本考案による借入資料作成装置および借入資料作成プログラムの一実施形態における入金内訳画面のイメージ図である。
【図２８】本考案による借入資料作成装置および借入資料作成プログラムの一実施形態における入金内訳画面のイメージ図である。
【図２９】本考案による借入資料作成装置および借入資料作成プログラムの一実施形態における入金内訳変更画面のイメージ図である。
【図３０】本考案による借入資料作成装置および借入資料作成プログラムの一実施形態における入金内訳画面のイメージ図である。
【図３１】本考案による借入資料作成装置および借入資料作成プログラムの一実施形態における売上一覧表画面のイメージ図である。
【図３２】本考案による借入資料作成装置および借入資料作成プログラムの一実施形態における入金一覧表の一例である。
【図３３】本考案による借入資料作成装置および借入資料作成プログラムの一実施形態における入金一覧表画面のイメージ図である。
【図３４】本考案による借入資料作成装置および借入資料作成プログラムの一実施形態における入金一覧表画面のイメージ図である。
【図３５】本考案による借入資料作成装置および借入資料作成プログラムの一実施形態における入金内訳画面のイメージ図である。
【図３６】本考案による借入資料作成装置および借入資料作成プログラムの一実施形態における入金内訳変更画面のイメージ図である。
【図３７】本考案による借入資料作成装置および借入資料作成プログラムの一実施形態における入金内訳変更画面のイメージ図である。
【図３８】本考案による借入資料作成装置および借入資料作成プログラムの一実施形態における入金内訳画面のイメージ図である。
【図３９】本考案による借入資料作成装置および借入資料作成プログラムの一実施形態における入金内訳追加画面のイメージ図である。
【図４０】本考案による借入資料作成装置および借入資料作成プログラムの一実施形態における入金内訳画面のイメージ図である。
【図４１】本考案による借入資料作成装置および借入資料作成プログラムの一実施形態における入金内訳変更画面のイメージ図である。
【図４２】本考案による借入資料作成装置および借入資料作成プログラムの一実施形態における受取手形入力画面のイメージ図である。
【図４３】本考案による借入資料作成装置および借入資料作成プログラムの一実施形態における入金内訳画面のイメージ図である。
【図４４】本考案による借入資料作成装置および借入資料作成プログラムの一実施形態における売上一覧表画面のイメージ図である。
【図４５】本考案による借入資料作成装置および借入資料作成プログラムの一実施形態における入金内訳画面のイメージ図である。
【図４６】本考案による借入資料作成装置および借入資料作成プログラムの一実施形態における入金内訳削除画面のイメージ図である。
【図４７】本考案による借入資料作成装置および借入資料作成プログラムの一実施形態における入金内訳画面のイメージ図である。
【図４８】本考案による借入資料作成装置および借入資料作成プログラムの一実施形態における売上一覧表画面のイメージ図である。
【図４９】本考案による借入資料作成装置および借入資料作成プログラムの一実施形態における入金確認一覧表画面のイメージ図である。
【図５０】本考案による借入資料作成装置および借入資料作成プログラムの一実施形態における日付入力画面のイメージ図である。
【図５１】本考案による借入資料作成装置および借入資料作成プログラムの一実施形態における仕入一覧表である。
【図５２】本考案による借入資料作成装置および借入資料作成プログラムの一実施形態における仕入先名称選択画面のイメージ図である。
【図５３】本考案による借入資料作成装置および借入資料作成プログラムの一実施形態における仕入一覧表画面のイメージ図である。
【図５４】本考案による借入資料作成装置および借入資料作成プログラムの一実施形態における仕入先・商品登録画面のイメージ図である。
【図５５】本考案による借入資料作成装置および借入資料作成プログラムの一実施形態における仕入先・商品削除画面のイメージ図である。
【図５６】本考案による借入資料作成装置および借入資料作成プログラムの一実施形態における仕入一覧表画面のイメージ図である。
【図５７】本考案による借入資料作成装置および借入資料作成プログラムの一実施形態における仕入一覧表画面のイメージ図である。
【図５８】本考案による借入資料作成装置および借入資料作成プログラムの一実施形態における仕入一覧表画面のイメージ図である。
【図５９】本考案による借入資料作成装置および借入資料作成プログラムの一実施形態における仕入一覧表画面のイメージ図である。
【図６０】本考案による借入資料作成装置および借入資料作成プログラムの一実施形態における支払内訳画面のイメージ図である。
【図６１】本考案による借入資料作成装置および借入資料作成プログラムの一実施形態における支払内訳変更画面のイメージ図である。
【図６２】本考案による借入資料作成装置および借入資料作成プログラムの一実施形態における支払内訳画面のイメージ図である。
【図６３】本考案による借入資料作成装置および借入資料作成プログラムの一実施形態における仕入一覧表画面のイメージ図である。
【図６４】本考案による借入資料作成装置および借入資料作成プログラムの一実施形態における支払一覧表の一例である。
【図６５】本考案による借入資料作成装置および借入資料作成プログラムの一実施形態における支払一覧表画面のイメージ図である。
【図６６】本考案による借入資料作成装置および借入資料作成プログラムの一実施形態における支払一覧表画面のイメージ図である。
【図６７】本考案による借入資料作成装置および借入資料作成プログラムの一実施形態における支払内訳画面のイメージ図である。
【図６８】本考案による借入資料作成装置および借入資料作成プログラムの一実施形態における支払内訳変更画面のイメージ図である。
【図６９】本考案による借入資料作成装置および借入資料作成プログラムの一実施形態における支払内訳画面のイメージ図である。
【図７０】本考案による借入資料作成装置および借入資料作成プログラムの一実施形態における支払内訳追加画面のイメージ図である。
【図７１】本考案による借入資料作成装置および借入資料作成プログラムの一実施形態における支払内訳画面のイメージ図である。
【図７２】本考案による借入資料作成装置および借入資料作成プログラムの一実施形態における支払内訳変更画面のイメージ図である。
【図７３】本考案による借入資料作成装置および借入資料作成プログラムの一実施形態における支払手形入力画面のイメージ図である。
【図７４】本考案による借入資料作成装置および借入資料作成プログラムの一実施形態における支払内訳画面のイメージ図である。
【図７５】本考案による借入資料作成装置および借入資料作成プログラムの一実施形態における支払内訳変更画面のイメージ図である。
【図７６】本考案による借入資料作成装置および借入資料作成プログラムの一実施形態における受取手形選択画面のイメージ図である。
【図７７】本考案による借入資料作成装置および借入資料作成プログラムの一実施形態における支払内訳画面のイメージ図である。
【図７８】本考案による借入資料作成装置および借入資料作成プログラムの一実施形態における仕入一覧表画面のイメージ図である。
【図７９】本考案による借入資料作成装置および借入資料作成プログラムの一実施形態における支払内訳画面のイメージ図である。
【図８０】本考案による借入資料作成装置および借入資料作成プログラムの一実施形態における支払内訳削除画面のイメージ図である。
【図８１】本考案による借入資料作成装置および借入資料作成プログラムの一実施形態における支払内訳画面のイメージ図である。
【図８２】本考案による借入資料作成装置および借入資料作成プログラムの一実施形態における仕入一覧表画面のイメージ図である。
【図８３】本考案による借入資料作成装置および借入資料作成プログラムの一実施形態における支払確認一覧表画面のイメージ図である。
【図８４】本考案による借入資料作成装置および借入資料作成プログラムの一実施形態におけるその他入金予定表の一例である。
【図８５】本考案による借入資料作成装置および借入資料作成プログラムの一実施形態におけるその他入金表画面のイメージ図である。
【図８６】本考案による借入資料作成装置および借入資料作成プログラムの一実施形態におけるその他入金登録画面のイメージ図である。
【図８７】本考案による借入資料作成装置および借入資料作成プログラムの一実施形態におけるその他入金表画面のイメージ図である。
【図８８】本考案による借入資料作成装置および借入資料作成プログラムの一実施形態におけるその他入金表画面のイメージ図である。
【図８９】本考案による借入資料作成装置および借入資料作成プログラムの一実施形態におけるその他入金変更画面のイメージ図である。
【図９０】本考案による借入資料作成装置および借入資料作成プログラムの一実施形態におけるその他入金表画面のイメージ図である。
【図９１】本考案による借入資料作成装置および借入資料作成プログラムの一実施形態におけるその他入金表画面のイメージ図である。
【図９２】本考案による借入資料作成装置および借入資料作成プログラムの一実施形態におけるその他入金削除画面のイメージ図である。
【図９３】本考案による借入資料作成装置および借入資料作成プログラムの一実施形態におけるその他入金表画面のイメージ図である。
【図９４】本考案による借入資料作成装置および借入資料作成プログラムの一実施形態における経費その他支払表（経費等支払一覧）の一例が示されている。
【図９５】本考案による借入資料作成装置および借入資料作成プログラムの一実施形態における日付入力画面のイメージ図である。
【図９６】本考案による借入資料作成装置および借入資料作成プログラムの一実施形態における経費その他支払表画面のイメージ図である。
【図９７】本考案による借入資料作成装置および借入資料作成プログラムの一実施形態における経費その他支払登録画面のイメージ図である。
【図９８】本考案による借入資料作成装置および借入資料作成プログラムの一実施形態における経費その他支払変更画面のイメージ図である。
【図９９】本考案による借入資料作成装置および借入資料作成プログラムの一実施形態における経費その他支払削除画面のイメージ図である。
【図１００】本考案による借入資料作成装置および借入資料作成プログラムの一実施形態における借入金一覧表の一例である。
【図１０１】本考案による借入資料作成装置および借入資料作成プログラムの一実施形態における借入金返済予定表の一例である。
【図１０２】本考案による借入資料作成装置および借入資料作成プログラムの一実施形態における借入金一覧画面のイメージ図である。
【図１０３】本考案による借入資料作成装置および借入資料作成プログラムの一実施形態における借入金登録画面のイメージ図である。
【図１０４】本考案による借入資料作成装置および借入資料作成プログラムの一実施形態における借入金一覧画面のイメージ図である。
【図１０５】本考案による借入資料作成装置および借入資料作成プログラムの一実施形態における借入金一覧画面のイメージ図である。
【図１０６】本考案による借入資料作成装置および借入資料作成プログラムの一実施形態における借入金変更画面のイメージ図である。
【図１０７】本考案による借入資料作成装置および借入資料作成プログラムの一実施形態における借入金一覧画面のイメージ図である。
【図１０８】本考案による借入資料作成装置および借入資料作成プログラムの一実施形態における借入金一覧画面のイメージ図である。
【図１０９】本考案による借入資料作成装置および借入資料作成プログラムの一実施形態における借入金削除画面のイメージ図である。
【図１１０】本考案による借入資料作成装置および借入資料作成プログラムの一実施形態における借入金一覧画面のイメージ図である。
【図１１１】本考案による借入資料作成装置および借入資料作成プログラムの一実施形態における借入金返済計画画面のイメージ図である。
【図１１２】本考案による借入資料作成装置および借入資料作成プログラムの一実施形態における借入金一覧画面のイメージ図である。
【図１１３】本考案による借入資料作成装置および借入資料作成プログラムの一実施形態における受取手形帳（受取手形一覧表）の一例である。
【図１１４】本考案による借入資料作成装置および借入資料作成プログラムの一実施形態における受取手形帳画面のイメージ図である。
【図１１５】本考案による借入資料作成装置および借入資料作成プログラムの一実施形態における手形割引入力画面のイメージ図である。
【図１１６】本考案による借入資料作成装置および借入資料作成プログラムの一実施形態における受取手形帳画面のイメージ図である。
【図１１７】本考案による借入資料作成装置および借入資料作成プログラムの一実施形態における受取手形帳画面のイメージ図である。
【図１１８】本考案による借入資料作成装置および借入資料作成プログラムの一実施形態における受取手形帳画面で「割引取消」をクリックした時の画面のイメージ図である。
【図１１９】本考案による借入資料作成装置および借入資料作成プログラムの一実施形態における受取手形帳画面のイメージ図である。
【図１２０】本考案による借入資料作成装置および借入資料作成プログラムの一実施形態における受取手形帳画面のイメージ図である。
【図１２１】本考案による借入資料作成装置および借入資料作成プログラムの一実施形態における受取手形てん末（割引）画面のイメージ図である。
【図１２２】本考案による借入資料作成装置および借入資料作成プログラムの一実施形態における受取手形帳画面のイメージ図である。
【図１２３】本考案による借入資料作成装置および借入資料作成プログラムの一実施形態における受取手形てん末（裏書）画面のイメージ図である。
【図１２４】本考案による借入資料作成装置および借入資料作成プログラムの一実施形態における支払手形帳（支払手形一覧表）の一例である。
【図１２５】本考案による借入資料作成装置および借入資料作成プログラムの一実施形態における支払手形帳画面のイメージ図である。
【図１２６】本考案による借入資料作成装置および借入資料作成プログラムの一実施形態における銀行別出納帳（銀行別入手金一覧表）の一例である。
【図１２７】本考案による借入資料作成装置および借入資料作成プログラムの一実施形態における銀行別出納帳（銀行別入手金一覧表）の一例である。
【図１２８】本考案による借入資料作成装置および借入資料作成プログラムの一実施形態における銀行別出納帳（銀行別入手金一覧表）の一例である。
【図１２９】本考案による借入資料作成装置および借入資料作成プログラムの一実施形態における合計出納表（総合入出金一覧表）の一例である。
【図１３０】本考案による借入資料作成装置および借入資料作成プログラムの一実施形態における資金繰表の一例である。
【図１３１】本考案による借入資料作成装置および借入資料作成プログラムの一実施形態における銀行取引状況表の一例である。
【符号の説明】
【０２６３】
１    ＣＰＵ
２    ＲＯＭ
３    ＲＡＭ
４    ハードディスク
５    キーボード
６    マウス
７    ディスプレイ
８    ＣＤ−ＲＯＭドライブ
９    プリンタ
１０    バス
２０    データ入力部
３０    データ処理部
３１    データベース
３２    データ記憶部
４０    データ出力部
１００    借入資料作成装置
２００    ＣＤ−ＲＯＭ
【図１】
0003116396.tif 000003
【図２】
0003116396.tif 000004
【図３】
0003116396.tif 000005
【図４】
0003116396.tif 000006
【図５】
0003116396.tif 000007
【図６】
0003116396.tif 000008
【図７】
0003116396.tif 000009
【図８】
0003116396.tif 000010
【図９】
0003116396.tif 000011
【図１０】
0003116396.tif 000012
【図１１】
0003116396.tif 000013
【図１２】
0003116396.tif 000014
【図１３】
0003116396.tif 000015
【図１４】
0003116396.tif 000016
【図１５】
0003116396.tif 000017
【図１６】
0003116396.tif 000018
【図１７】
0003116396.tif 000019
【図１８】
0003116396.tif 000020
【図１９】
0003116396.tif 000021
【図２０】
0003116396.tif 000022
【図２１】
0003116396.tif 000023
【図２２】
0003116396.tif 000024
【図２３】
0003116396.tif 000025
【図２４】
0003116396.tif 000026
【図２５】
0003116396.tif 000027
【図２６】
0003116396.tif 000028
【図２７】
0003116396.tif 000029
【図２８】
0003116396.tif 000030
【図２９】
0003116396.tif 000031
【図３０】
0003116396.tif 000032
【図３１】
0003116396.tif 000033
【図３２】
0003116396.tif 000034
【図３３】
0003116396.tif 000035
【図３４】
0003116396.tif 000036
【図３５】
0003116396.tif 000037
【図３６】
0003116396.tif 000038
【図３７】
0003116396.tif 000039
【図３８】
0003116396.tif 000040
【図３９】
0003116396.tif 000041
【図４０】
0003116396.tif 000042
【図４１】
0003116396.tif 000043
【図４２】
0003116396.tif 000044
【図４３】
0003116396.tif 000045
【図４４】
0003116396.tif 000046
【図４５】
0003116396.tif 000047
【図４６】
0003116396.tif 000048
【図４７】
0003116396.tif 000049
【図４８】
0003116396.tif 000050
【図４９】
0003116396.tif 000051
【図５０】
0003116396.tif 000052
【図５１】
0003116396.tif 000053
【図５２】
0003116396.tif 000054
【図５３】
0003116396.tif 000055
【図５４】
0003116396.tif 000056
【図５５】
0003116396.tif 000057
【図５６】
0003116396.tif 000058
【図５７】
0003116396.tif 000059
【図５８】
0003116396.tif 000060
【図５９】
0003116396.tif 000061
【図６０】
0003116396.tif 000062
【図６１】
0003116396.tif 000063
【図６２】
0003116396.tif 000064
【図６３】
0003116396.tif 000065
【図６４】
0003116396.tif 000066
【図６５】
0003116396.tif 000067
【図６６】
0003116396.tif 000068
【図６７】
0003116396.tif 000069
【図６８】
0003116396.tif 000070
【図６９】
0003116396.tif 000071
【図７０】
0003116396.tif 000072
【図７１】
0003116396.tif 000073
【図７２】
0003116396.tif 000074
【図７３】
0003116396.tif 000075
【図７４】
0003116396.tif 000076
【図７５】
0003116396.tif 000077
【図７６】
0003116396.tif 000078
【図７７】
0003116396.tif 000079
【図７８】
0003116396.tif 000080
【図７９】
0003116396.tif 000081
【図８０】
0003116396.tif 000082
【図８１】
0003116396.tif 000083
【図８２】
0003116396.tif 000084
【図８３】
0003116396.tif 000085
【図８４】
0003116396.tif 000086
【図８５】
0003116396.tif 000087
【図８６】
0003116396.tif 000088
【図８７】
0003116396.tif 000089
【図８８】
0003116396.tif 000090
【図８９】
0003116396.tif 000091
【図９０】
0003116396.tif 000092
【図９１】
0003116396.tif 000093
【図９２】
0003116396.tif 000094
【図９３】
0003116396.tif 000095
【図９４】
0003116396.tif 000096
【図９５】
0003116396.tif 000097
【図９６】
0003116396.tif 000098
【図９７】
0003116396.tif 000099
【図９８】
0003116396.tif 000100
【図９９】
0003116396.tif 000101
【図１００】
0003116396.tif 000102
【図１０１】
0003116396.tif 000103
【図１０２】
0003116396.tif 000104
【図１０３】
0003116396.tif 000105
【図１０４】
0003116396.tif 000106
【図１０５】
0003116396.tif 000107
【図１０６】
0003116396.tif 000108
【図１０７】
0003116396.tif 000109
【図１０８】
0003116396.tif 000110
【図１０９】
0003116396.tif 000111
【図１１０】
0003116396.tif 000112
【図１１１】
0003116396.tif 000113
【図１１２】
0003116396.tif 000114
【図１１３】
0003116396.tif 000115
【図１１４】
0003116396.tif 000116
【図１１５】
0003116396.tif 000117
【図１１６】
0003116396.tif 000118
【図１１７】
0003116396.tif 000119
【図１１８】
0003116396.tif 000120
【図１１９】
0003116396.tif 000121
【図１２０】
0003116396.tif 000122
【図１２１】
0003116396.tif 000123
【図１２２】
0003116396.tif 000124
【図１２３】
0003116396.tif 000125
【図１２４】
0003116396.tif 000126
【図１２５】
0003116396.tif 000127
【図１２６】
0003116396.tif 000128
【図１２７】
0003116396.tif 000129
【図１２８】
0003116396.tif 000130
【図１２９】
0003116396.tif 000131
【図１３０】
0003116396.tif 000132
【図１３１】
0003116396.tif 000133
【手続補正書】
【提出日】平成17年9月5日(2005.9.5)
【手続補正１】
【補正対象書類名】実用新案登録請求の範囲
【補正対象項目名】全文
【補正方法】変更
【補正の内容】
【実用新案登録請求の範囲】
【請求項１】
売上見込みデータを入力するための画面と、仕入見込みデータを入力するための画面と、売上・借入以外の入金見込みデータを入力するための画面と、仕入・借入返済以外の出金見込みデータを入力するための画面と、借入金および借入金返済見込みデータを入力するための画面とを表示し、
銀行からの入金金額と、銀行に対する出金金額とを日付順に示す合計出納データの画面と、資金繰表の画面を表示することを特徴とする借入資料作成表示装置。
【請求項２】
売上先別の入金実績および／または入金予定の金額および入金日の画面と、仕入先別の支払実績および／または支払予定の金額および支払日の画面と、入金元別の売上・借入以外の入金日と入金金額の画面と、仕入・借入返済以外の出金日と出金金額の画面と、借入残高と返済予定日の画面とを表示することを特徴とする請求項１記載の借入資料作成表示装置。
【請求項３】
受取手形一覧表および支払手形一覧表の画面を表示することを特徴とする請求項１又は２記載の借入資料作成表示装置。
【手続補正３】
【補正対象書類名】明細書
【補正対象項目名】０００１
【補正方法】変更
【補正の内容】
【０００１】
本考案は、借入資料作成表示装置に関し、特に会計的な専門知識を有しない者でも容易に帳票を作成し確認できる借入資料作成表示装置に関する。
【手続補正４】
【補正対象書類名】明細書
【補正対象項目名】００１０
【補正方法】変更
【補正の内容】
【００１０】
上記の目的を達成するために、請求項１記載の考案によれば、借入資料作成表示装置は、売上見込みデータを入力するための画面と、仕入見込みデータを入力するための画面と、売上・借入以外の入金見込みデータを入力するための画面と、仕入・借入返済以外の出金見込みデータを入力するための画面と、借入金および借入金返済見込みデータを入力するための画面とを表示し、銀行からの入金金額と、銀行に対する出金金額とを日付順に示す合計出納データの画面と、資金繰表の画面を表示することを特徴とする。
【手続補正５】
【補正対象書類名】明細書
【補正対象項目名】００１１
【補正方法】変更
【補正の内容】
【００１１】
請求項２記載の考案によれば、売上先別の入金実績および／または入金予定の金額および入金日の画面と、仕入先別の支払実績および／または支払予定の金額および支払日の画面と、入金元別の売上・借入以外の入金日と入金金額の画面と、仕入・借入返済以外の出金日と出金金額の画面と、借入残高と返済予定日の画面とを表示することを特徴とする。
【手続補正６】
【補正対象書類名】明細書
【補正対象項目名】００１２
【補正方法】変更
【補正の内容】
【００１２】
請求項３記載の考案によれば、受取手形一覧表および支払手形一覧表の画面を表示することを特徴とする。